(57)【要約】  通信の混雑情況に基づいて、通信端末装置が通信制御装置へ報告する受信品質の情報量を削減する。所定の周波数帯域で定められる二以上のサブチャネルから構成される周波数チャネルを用いて通信端末装置と通信を行なう通信制御装置１００であって、前記通信端末装置を宛先とする情報データを受信する受信部１１３と、受信した情報データを各サブチャネルへ割り当て情報データを各サブチャネルへ割り当てた状況を示す割り当て情報を生成するスケジューリング部１０１と、生成した割り当て情報に基づいて、各サブチャネルの混雑度を示す混雑情報を生成する混雑情報生成部１０３と、生成した混雑情報を含む制御情報を生成する制御情報生成部１０４と、生成した制御情報を端末装置へ送信する送信部１１１と、を備える。
2008069310.tif 000002
【特許請求の範囲】
【請求項１】
通信制御装置から通信端末装置への送信が、所定の周波数帯域で定められる二以上のサブチャネルから構成される周波数チャネルを用いて行なわれる無線通信システムに適用される通信制御装置であって、
前記通信端末装置へ送信する情報データを各サブチャネルへ割り当てるスケジューリング部と、
各サブチャネルの混雑度を示す混雑情報を生成する混雑情報生成部と、
生成した混雑情報を含む制御情報を生成する制御情報生成部と、
生成した制御情報を前記通信端末装置へ送信する送信部と、
前記通信端末装置が前記混雑情報に基づいて選択したサブチャネルを特定する割り当て要求サブチャネル情報を受信する受信部と、を備え、
前記スケジューリング部は、受信した割り当て要求サブチャネル情報に基づいて、情報データを各サブチャネルへ割り当てることを特徴とする通信制御装置。
【請求項２】
前記受信部は、選択したサブチャネルの受信品質情報を更に含む割り当て要求サブチャネル情報を受信することを特徴とする請求項１記載の通信制御装置。
【請求項３】
前記混雑情報生成部は、前記通信端末装置が割り当てを要求するサブチャネル数を指定するサブチャネル数情報を決定し、
前記送信部は、さらに、決定したサブチャネル数情報を含む制御情報を送信し、
前記スケジューリング部は、前記サブチャネル数情報に指定された数のサブチャネルを特定する要求サブチャネル情報に基づいて、情報データを各サブチャネルに割り当てることを特徴とする請求項１記載の通信制御装置。
【請求項４】
前記混雑情報生成部は、多段階にクラス分けした混雑情報を生成することを特徴とする請求項１記載の通信制御装置。
【請求項５】
前記スケジューリング部は、各サブチャネルに割り当てた情報データのうち、送信待ち状態の情報データを保持するサブチャネル毎のバッファを備え、
前記混雑情報生成部は、前記バッファに保持されている各サブチャネルの送信待ち状態の情報データ量に基づいて混雑情報を生成することを特徴とする請求項１から請求項４のいずれかに記載の通信制御装置。
【請求項６】
前記混雑情報生成部は、各サブチャネルの使用頻度を示す混雑情報を生成することを特徴とする請求項１から請求項５のいずれかに記載の通信制御装置。
【請求項７】
前記通信端末装置との通信は、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式を用いて行なうことを特徴とする請求項１から請求項６のいずれかに記載の通信制御装置。
【請求項８】
通信制御装置から通信端末装置への送信が、所定の周波数帯域で定められる二以上のサブチャネルから構成される周波数チャネルを用いて行なわれる無線通信システムに適用される通信端末装置であって、
制御情報を受信する受信部と、
各サブチャネルの受信品質を測定して受信品質情報を生成する受信品質測定部と、
受信した制御情報に基づいて、割り当てを要求するサブチャネルを割り当て要求サブチャネルとして選択し、選択した割り当て要求サブチャネルを特定する割り当て要求サブチャネル情報を生成するサブチャネル要求生成部と、
生成した割り当て要求サブチャネル情報を前記通信制御装置へ送信する送信部と、を備えることを特徴とする通信端末装置。
【請求項９】
通信制御装置から通信端末装置への送信が、所定の周波数帯域で定められる二以上のサブチャネルから構成される周波数チャネルを用いて行なわれる無線通信システムに適用される通信端末装置であって、
各サブチャネルの混雑度を示す混雑情報を含む制御情報を受信する受信部と、
各サブチャネルの受信品質を測定して受信品質情報を生成する受信品質測定部と、
受信した制御情報に含まれる混雑情報に基づいて、割り当てを要求するサブチャネルを割り当て要求サブチャネルとして選択し、選択した割り当て要求サブチャネルを特定する割り当て要求サブチャネル情報を生成するサブチャネル要求生成部と、
生成した割り当て要求サブチャネル情報を前記通信制御装置へ送信する送信部と、を備えることを特徴とする通信端末装置。
【請求項１０】
前記サブチャネル要求生成部は、選択したサブチャネルに関する受信品質情報を更に含む割り当て要求サブチャネル情報を生成することを特徴とする請求項９記載の通信端末装置。
【請求項１１】
前記受信部は、さらに、前記割り当て要求サブチャネルの数を指定するサブチャネル数情報を含む制御情報を受信し、
前記サブチャネル要求生成部は、制御情報に含まれるサブチャネル数情報に指定された数のサブチャネルを選択して割り当て要求サブチャネル情報を生成することを特徴とする請求項９または請求項１０記載の通信端末装置。
【請求項１２】
前記サブチャネル要求生成部は、前記混雑情報が所定の混雑度より小さいサブチャネルを選択することを特徴とする請求項９から請求項１１のいずれかに記載の通信端末装置。
【請求項１３】
前記サブチャネル要求生成部は、前記受信品質情報が所定の閾値より大きいサブチャネルを選択することを特徴とする請求項９から請求項１１のいずれかに記載の通信端末装置。
【請求項１４】
前記サブチャネル要求生成部は、前記混雑情報が所定の混雑度より小さいサブチャネルを選択し、選択したサブチャネルから前記受信品質情報が良好な順番にサブチャネルを選択することを特徴とする請求項９から請求項１１のいずれかに記載の通信端末装置。
【請求項１５】
前記サブチャネル要求生成部は、前記受信品質情報が所定の値より良好なサブチャネルを選択し、選択したサブチャネルから前記混雑情報が小さい順番にサブチャネルを選択することを特徴とする請求項９から請求項１１のいずれかに記載の通信端末装置。
【請求項１６】
前記サブチャネル要求生成部は、第一の閾値と前記第一の閾値より大きい第二の閾値とを設定し、前記第一閾値より前記混雑度が小さいサブチャネルを選択し、選択したサブチャネルが所定の受信品質を満たさない場合に、前記第一閾値より大きく前記第二閾値より小さい混雑度を示すサブチャネルが存在する場合、前記第二閾値より小さい混雑度を示すサブチャネルであって前記受信品質情報が所定品質であるサブチャネルを優先して割り当て要求サブチャネルとして選択することを特徴とする請求項９から請求項１１のいずれかに記載の通信端末装置。
【請求項１７】
前記サブチャネル要求生成部は、前記混雑情報が所定の混雑度より小さいサブチャネルを選択し、選択したサブチャネルに加え、前記混雑情報が所定の混雑度以上のサブチャネルから、前記受信品質情報が良好な順番にサブチャネルを選択することを特徴とする請求項９から請求項１１のいずれかに記載の通信端末装置。
【請求項１８】
前記サブチャネル要求生成部は、前記混雑情報に基づく値と、前記受信品質情報に基づく値とを所定の演算式を用いて算出した値が示す順番にサブチャネルを選択することを特徴とする請求項９から請求項１１のいずれかに記載の通信端末装置。
【請求項１９】
前記受信部は、各サブチャネルの送信待ち状態の情報データ量を示す値を混雑情報として受信し、
前記サブチャネル要求生成部は、前記混雑情報に基づく値として各サブチャネルの送信待ち状態の情報データ量を示す値の逆数を用い、前記受信品質情報に基づく値として各サブチャネルの受信品質測定結果を用い、前記混雑情報に基づく値と前記受信品質情報に基づく値とを乗算した値の大きい順番にサブチャネルを選択することを特徴とする請求項１８記載の通信端末装置。
【請求項２０】
前記受信部は、多段階の混雑度の値を含む混雑情報を受信し、
前記サブチャネル要求生成部は、前記多段階の混雑度を示す値に基づいて割り当てを要求するサブチャネルを選択することを特徴とする請求項９から請求項１９のいずれかに記載の通信端末装置。
【請求項２１】
前記受信部は、各サブチャネルの使用頻度を示す使用率を混雑情報として受信し、
前記サブチャネル要求生成部は、前記使用率と前記受信品質情報とに基づいて割り当て要求チャネルを選択することを特徴とする請求項９から請求項１８のいずれかに記載の通信端末装置。
【請求項２２】
前記受信部は、各サブチャネルへ情報データを割り当てた状況を示す割り当て情報を含む制御情報を受信し、
前記サブチャネル要求生成部は、前記割り当て情報に基づいて各サブチャネルの使用頻度を示す使用率を算出し、算出した使用率と前記受信品質情報とに基づいて割り当て要求チャネルを選択することを特徴とする請求項９から請求項１８のいずれかに記載の通信端末装置。
【請求項２３】
前記サブチャネル要求生成部は、各サブチャネルの受信信号電力を算出し、算出した受信信号電力の値に基づいて各サブチャネルの使用頻度を検出することを特徴とする請求項９から請求項１８のいずれかに記載の通信端末装置。
【請求項２４】
受信品質測定部は、各サブチャネルの受信品質を示す情報として、受信ＳＩＮＲ（Ｓｉｇｎａｌ  ｔｏ  Ｉｎｔｅｒｆｅｒｅｎｃｅ  ａｎｄ  Ｎｏｉｓｅ  Ｒａｔｉｏ）、受信ＳＮＲ（Ｓｉｇｎａｌ  ｔｏ  Ｎｏｉｓｅ  Ｒａｔｉｏ）のいずれかを測定することを特徴とする請求項９から請求項２３のいずれかに記載の通信端末装置。
【請求項２５】
通信制御装置から通信端末装置への送信が、所定の周波数帯域で定められる二以上のサブチャネルから構成される周波数チャネルを用いて行なわれる無線通信システムであって、
前記通信制御装置は、
前記通信端末装置へ送信する情報データを各サブチャネルへ割り当てるスケジューリング部と、
各サブチャネルの混雑度を示す混雑情報を生成する混雑情報生成部と、
生成した混雑情報を含む制御情報を生成する制御情報生成部と、
生成した制御情報を前記端末装置へ送信する制御側送信部と、
前記通信端末装置が前記混雑情報に基づいて選択したサブチャネルを特定する割り当て要求サブチャネル情報を受信する制御側受信部と、を備え、
前記通信端末装置は、
前記混雑情報を含む制御情報を受信する端末側受信部と、
受信した制御情報に基づいて、各サブチャネルの受信品質を測定して受信品質情報を生成する受信品質測定部と、
受信した制御情報に含まれる混雑情報と、生成した受信品質情報とに基づいて、割り当てを要求するサブチャネルを割り当て要求サブチャネルとして選択し、選択した割り当て要求サブチャネルを特定するサブチャネルを含む割り当て要求サブチャネル情報を生成するサブチャネル要求生成部と、
生成した割り当て要求サブチャネル情報を前記通信制御装置へ送信する端末側送信部と、を備え、
前記スケジューリング部は、前記割り当て要求サブチャネル情報に基づいて情報データの各サブチャネルへの割り当てを決定することを特徴とする無線通信システム。
【請求項２６】
前記スケジューリング部は、各サブチャネルに割り当てた情報データのうち、送信待ち状態の情報データを保持するサブチャネル毎のバッファを備え、
前記混雑情報生成部は、前記バッファに保持されている各サブチャネルの送信待ち状態の情報データ量に基づいて混雑情報を生成することを特徴とする請求項２５記載の無線通信システム。
【請求項２７】
前記混雑情報生成部は、
各サブチャネルの使用頻度を示す混雑情報を生成することを特徴とする請求項２５記載の無線通信システム。
【請求項２８】
通信制御装置から通信端末装置への送信が、所定の周波数帯域で定められる二以上のサブチャネルから構成される周波数チャネルを用いて行なわれる無線通信システムに適用される通信制御装置の通信方法であって、
各サブチャネルの混雑度を示す混雑情報を生成し、
生成した混雑情報を含む制御情報を生成し、
生成した制御情報を前記端末装置へ送信することを特徴とする通信方法。
【請求項２９】
通信制御装置から通信端末装置への送信が、所定の周波数帯域で定められる二以上のサブチャネルから構成される周波数チャネルを用いて行なわれる無線通信システムに適用される通信端末装置の通信方法であって、
各サブチャネルの混雑度を示す混雑情報を含む制御情報を受信し、
各サブチャネルの受信品質を測定して受信品質情報を生成し、
受信した制御情報に含まれる混雑情報と、生成した受信品質情報とに基づいて、割り当てを要求するサブチャネルを割り当て要求サブチャネルとして選択し、選択した割り当て要求サブチャネルを特定するサブチャネルを含む割り当て要求サブチャネル情報を生成し、
生成した割り当て要求サブチャネル情報を前記通信制御装置へ送信することを特徴とする通信方法。
【発明の詳細な説明】
【技術分野】
【０００１】
本発明は、一定の周波数帯域で定められる二以上のサブチャネルから構成される周波数チャネルを用いて通信制御装置と通信端末装置との間で通信を行なう無線通信システムにおいて、データを割り当てるスケジューリングに関する。
【背景技術】
【０００２】
現在、移動通信システムにおいて、データ通信の需要が高まっており、データ通信の増加に伴い、高い周波数利用効率が得られる様々な技術が提案されている。周波数利用効率を高める可能性を持った技術の一つにＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）という技術がある。これは、通信する際の変調方式がＯＦＤＭであり、アクセス方式がＴＤＭＡ（Ｔｉｍｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）を使用するという技術である。【０００３】
このＯＦＤＭＡシステムにも使用できるスケジューリング方法として、下り高速パケット伝送方式（ＨＳＤＰＡ：Ｈｉｇｈ  Ｓｐｅｅｄ  Ｄｏｗｎｌｉｎｋ  Ｐａｃｋｅｔ  Ａｃｃｅｓｓ）には、通信端末装置は、すべてのサブキャリアにおける下り回線状態を示す情報であるＣＱＩ（Ｃｈａｎｎｅｌ  Ｑｕａｌｉｔｙ  Ｉｎｄｉｃａｔｏｒ）を基地局装置に報告し、基地局装置は、各通信端末装置から報告されたサブキャリアごとのＣＱＩに基づいて、パケットのスケジューリングを行なうという方法が提案されている（非特許文献１）。【０００４】
同様に、複数のサブキャリアを用いるＯＦＤＭシステムにおける送信データのスケジューリングにおいて、通信端末装置で下りの各チャネル状態（周波数特性）を評価し、上りのフィードバックチャネルを用いて各チャネル状態を量子化した情報を基地局装置に報告し、基地局装置は報告された情報に基づいて各通信端末装置に割り振るサブキャリアを決定するという発明が開示されている（特許文献１）。【０００５】
図１７は、従来の基地局装置（通信制御装置）の構成の一例を示す図である。スケジューリング部１１０１は、各端末（通信端末装置）向けの情報データをバッファリングし、端末からフィードバックされるチャネル品質情報に基づいて、各サブチャネルのスロットにデータを割り当て、フレーム内のスロットの割り当てを決める。マルチプレックス部１１０２は、各サブチャネルに対する送信データをまとめる。制御情報生成部１１０３は、スケジューリング部１１０１の割り当て情報に基づいてフレーム先頭に配置する制御情報を生成する。スイッチ部１１０４は、後段に送る信号を制御情報と情報データとで切り替える。誤り訂正符号部１１０５は、データに対し誤り訂正符号化処理を施す。マッピング部１１０６は、スケジューリング部１１０１の割り当て情報に基づき各サブキャリアに対して情報ビットを割り当てる。【０００６】
ＩＦＦＴ（逆高速フーリエ変換）部１１０９は、サブキャリア毎の信号を時間軸信号に変換する。ガードインターバル（ＧＩ）挿入部１１１０は、ガードインターバルを付加する。Ｄ／Ａ変換部１１１１は、デジタル信号をアナログ信号に変換する。無線送信部１１１２はＤ／Ａ変換部１１１１から出力されたベースバンド信号を使用するＲＦ帯に変換し、必要な電力まで増幅する。アンテナ部１１１３は、無線送信部１１１２の出力を空中に送信するためのアンテナを備える。アップリンク受信部１１１４は、端末から送信されたアップリンク信号を受信し、チャネル品質情報や情報データを復調する。【０００７】
続いて図１８に従来の通信端末装置の構成の一例を示す。アンテナ部１２０１は、信号を受信するアンテナを備える。無線受信部１２０２は、アンテナ部１２０１で受信した信号から必要な信号を取り出し、ベースバンド信号に変換する。Ａ／Ｄ変換部１２０３は、無線受信部１２０２から出力されるベースバンド信号をデジタル信号に変換する。同期部１２０４は、Ａ／Ｄ変換部１２０３から出力される信号を観測し、ＯＦＤＭシンボル単位の同期タイミングを検出する。ガードインターバル（ＧＩ）除去部１２０５は、同期部１２０４の同期タイミングに従ってＯＦＤＭシンボルのガードインターバルの除去を行なう。ＦＦＴ部１２０６は、ガードインターバルを除去した信号に対しＦＦＴ（高速フーリエ変換）を施し、各サブキャリア単位の信号に変換する。伝搬路推定部１２０７は、受信信号より伝搬路を推定し、推定結果を利用してサブキャリア毎の信号を補正する。【０００８】
デマッピング部１２０８は、各サブキャリアに割り当てられている情報ビットを取り出し、並べなおす。誤り訂正復号部１２０９は、誤り訂正復号を行ない、受信誤りの訂正を行なう。スイッチ部１２１０は、受信信号をデマルチプレックス部１２１１と制御情報デコード部１２１３に切り替えて入力する。デマルチプレックス部１２１１は、復号した受信信号をサブチャネル毎に分割する。サブチャネル選択部１２１２は、制御情報に従って各サブチャネルから必要な情報を取り出す。制御情報デコード部１２１３は、フレームの制御情報を復調して各ブロックに伝える。チャネル品質測定部１２１４は、ＦＦＴ部１２０６の出力と伝搬路推定部１２０７の出力から各サブチャネルの品質を測定し、制御部に伝える。制御部１２１５は、各ブロックの出力を監視しながら各ブロックの動作を制御すると共に、情報データを含むアップリンク送信内容を制御する。アップリンク送信部１２１６は、基地局装置に対してアップリンクデータを送信する。【０００９】
この従来例は、図９に示したフレーム構成を想定している。フレーム先頭の報知スロットにはフレーム同期用信号、チャネル品質測定用信号、後続のデータスロットの割当情報、その他本発明とは関係の無い種々の制御信号が含まれるものとする。【００１０】
基地局装置は、図９に示した構造の信号を生成する。この際、スケジュールの方法は様々な方法があるが、ここではＭａｘ  ＣＩＲ（Ｃａｒｒｉｅｒ  ｔｏ  Ｉｎｔｅｒｆｅｒｅｎｃｅ  Ｒａｔｉｏ）法を用いた場合について説明を行なう。まず、スケジューリング部１１０１は、収容している各端末に対する送信データを端末毎に蓄積する。並行してアップリンク受信部１１１４よりチャネル品質情報、ここでは各端末におけるサブチャネル毎のＣＩＲを受け取る。その後、送信データが蓄積されている端末群のチャネル品質情報の中で最も品質の良いサブチャネルの空きデータスロットに対し送信データを割り当てる。この時、最大１フレーム分までスケジューリング部１１０１に蓄積してあるデータを、空きデータスロットに割り当てる。蓄積しているデータが１フレーム分に満たない場合は、蓄積してあるデータの分だけスロットを割り当てる。割り当てようとするサブチャネルのスロットが全て割り当てられている場合は、何もしない。スケジューリング部１１０１は、この作業が終わると次に良い品質のサブチャネルと端末の組み合わせを探し、スロットの割当を行なう。この作業を全てのスロットが埋まるまで行なう。【００１１】
スロットの割当が終了すると、スケジューリング部１１０１は、制御情報生成部１１０３にスロット割当情報を通知する。制御情報生成部１１０３では、スロット割当情報に従って制御情報を生成する。スロット割当情報を通知した後、スケジューリング部１１０１は、マルチプレックス部１１０２に対し、各サブチャネルに割り当てたデータを送る。マルチプレックス部１１０２は、各サブチャネルのデータをまとめる。第１のスイッチ部１１０４でフレーム先頭時には制御情報を送り出し、続いてデータスロットの情報を送り出す。この情報を誤り訂正符号部１１０５で誤り訂正符号化し、マッピング部１１０６でスロット割当情報に従ってＩＦＦＴ部１１０９の処理ポイントに合わせてマッピング処理を行なう。ただし、制御スロットの情報をマッピングする場合は、予め決められた制御スロットの変調方式に従ってマッピング処理を行なうものとする。マッピングされたデータは、ＩＦＦＴ部１１０９に入力され、時間軸信号に変換される。その後、ＧＩ挿入部１１１０でガードインターバルを付加され、Ｄ／Ａ変換部１１１１でアナログ信号に変換され、無線送信部１１１２でＲＦ帯に変換された後に必要な電力に増幅され、アンテナ部１１１３から送信される。
【特許文献１】特開２００５−１３０４９１号公報
【非特許文献１】“Ｃｏｍｍｅｎｔｓ  ｏｎ  ｆｒｅｑｕｅｎｃｙ  Ｓｃｈｅｄｕｌｉｎｇ  ａｎｄ  ｊｏｉｎｔ  ｐｏｗｅｒ  ａｎｄ  ｒａｔｅ  ｏｐｔｉｍｉｚａｔｉｏｎ  ｆｏｒ  ＯＦＤＭ”、  ３ＧＰＰ、  ＴＳＧ  ＲＡＮ  ＷＧ１  Ｍｅｅｔｉｎｇ  ＃２９、  Ｒ１−０２−１３２１、２００２年１１月
【発明の開示】
【発明が解決しようとする課題】
【００１２】
しかしながら、ＯＦＤＭＡのように、複数の周波数チャネルで異なる通信端末装置を割り当てるシステムにおいて、基地局装置が最も良好な伝送特性を得るために適応的なチャネル割り当てを行なう場合、通信端末装置は、すべての周波数チャネルにおける受信品質の測定結果を、周期的に基地局装置に通知する必要がある。このため、上りリンクの制御情報量が増加し、オーバヘッドが大きくなるという問題が生じていた。【００１３】
本発明は、このような事情に鑑みてなされたものであり、通信の混雑情況に基づいて、通信端末装置が報告する受信品質の情報量を削減する通信制御装置、通信端末装置、無線通信システムおよび通信方法を提供することを目的とする。
【課題を解決するための手段】
【００１４】
（１）上記の目的を達成するために、本発明は、以下のような手段を講じた。すなわち、本発明の通信制御装置は、通信制御装置から通信端末装置への送信が、所定の周波数帯域で定められる二以上のサブチャネルから構成される周波数チャネルを用いて行なわれる無線通信システムに適用される通信制御装置であって、前記通信端末装置へ送信する情報データを各サブチャネルへ割り当てるスケジューリング部と、各サブチャネルの混雑度を示す混雑情報を生成する混雑情報生成部と、生成した混雑情報を含む制御情報を生成する制御情報生成部と、生成した制御情報を前記通信端末装置へ送信する送信部と、前記通信端末装置が前記混雑情報に基づいて選択したサブチャネルを特定する割り当て要求サブチャネル情報を受信する受信部と、を備え、前記スケジューリング部は、受信した割り当て要求サブチャネル情報に基づいて、情報データを各サブチャネルへ割り当てることを特徴としている。【００１５】
このように、本発明の通信制御装置によれば、通信制御装置は、各サブチャネルの混雑情報（混雑度）を通信端末装置へ通知する。これにより、通信端末装置側は、通知された混雑情報に基づいて、受信品質情報を通知するサブチャネルを決定することができる。従って、通信制御装置は、通信端末装置から受信するフィードバック情報（受信品質情報）量を削減することができるとともに、効率的なスケジューリングを行なうことが可能になる。すなわち、通信端末装置側は、受信品質情報と混雑情報とに基づいてサブチャネルを選択することにより、所定の受信品質を維持しつつ、割り当てられる可能性の高いサブチャネルを選択することになり、通信制御装置側では、すべてのサブチャネルの受信品質情報を解析することなく、通信端末装置が選択したサブチャネルの受信品質情報を解析することにより、所定の受信品質を維持するとともに効率のよいスケジューリングを実現することが可能になる。また、スケジューリング部は、通信端末装置から通知される割り当て要求サブチャネル情報に基づいて、スケジューリングを行なうことにより、効率のよいスケジューリングが可能となる。【００１６】
（２）また、本発明の通信制御装置において、前記受信部は、選択したサブチャネルの受信品質情報を更に含む割り当て要求サブチャネル情報を受信することを特徴としている。【００１７】
このように、受信部がサブチャネルの受信品質情報を更に含む割り当て要求サブチャネル情報を受信することにより、スケジューリング部は、更に受信品質情報を考慮してスケジューリングをすることができる。【００１８】
（３）また、本発明の通信制御装置において、前記混雑情報生成部は、前記通信端末装置が割り当てを要求するサブチャネル数を指定するサブチャネル数情報を決定し、前記送信部は、さらに、決定したサブチャネル数情報を含む制御情報を送信し、前記スケジューリング部は、前記サブチャネル数情報に指定された数のサブチャネルを特定する要求サブチャネル情報に基づいて、情報データを各サブチャネルに割り当てることを特徴としている。【００１９】
このように、混雑情報生成部は、通信端末装置が通知する割り当て要求サブチャネル情報に含まれるサブチャネル数を指定することができる。これにより、通信状況の混雑状況に基づいて、各端末が要求できるサブチャネル数を調整することができる。また、スケジューリング部は、指定されたサブチャネル数の受信品質情報を解析することになり、効率のよいスケジューリングが可能となる。【００２０】
（４）また、本発明の通信制御装置において、前記混雑情報生成部は、多段階にクラス分けした混雑情報を生成することを特徴としている。【００２１】
この構成により、混雑情報生成部は、多段階にクラス分けした混雑情報を通信端末装置へ通知することができる。【００２２】
（５）また、本発明の通信制御装置において、前記スケジューリング部は、各サブチャネルに割り当てた情報データのうち、送信待ち状態の情報データを保持するサブチャネル毎のバッファを備え、前記混雑情報生成部は、前記バッファに保持されている各サブチャネルの送信待ち状態の情報データ量に基づいて混雑情報を生成することを特徴としている。【００２３】
このように、混雑情報生成部は、混雑情報として、サブチャネル毎に送信待ち状態の情報データ量がどのくらいあるかに基づいて、混雑状況を判断することができる。これにより、送信待ちの情報データ量が多いサブチャネルを混雑度が大きいとして通信端末装置へ通知することができる。通信端末装置側では、送信待ちの情報データ量の多さに加え、受信品質情報を加味して、割り当て要求サブチャネル情報を生成することができる。【００２４】
（６）また、本発明の通信制御装置において、前記混雑情報生成部は、各サブチャネルの使用頻度を混雑情報とすることを特徴とする。【００２５】
このように、混雑情報生成部は、各サブチャネルの使用頻度に基づいて、混雑状況を判断することができる。これにより、使用率の高いサブチャネルを混雑度が大きいとして通信端末装置へ通知することができる。通信端末装置側では、使用率の大きさに加え、受信品質情報を加味して割り当て要求サブチャネル情報を生成することができる。【００２６】
（７）また、本発明の通信制御装置において、前記通信端末装置との通信は、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式を用いて行なうことを特徴とする。【００２７】
このように、通信制御装置は、ＯＦＤＭＡ方式を用いる場合に本発明を適用することができる。【００２８】
（８）また、本発明の通信端末装置は、通信制御装置から通信端末装置への送信が、所定の周波数帯域で定められる二以上のサブチャネルから構成される周波数チャネルを用いて行なわれる無線通信システムに適用される通信端末装置であって、制御情報を受信する受信部と、各サブチャネルの受信品質を測定して受信品質情報を生成する受信品質測定部と、受信した制御情報に基づいて、割り当てを要求するサブチャネルを割り当て要求サブチャネルとして選択し、選択した割り当て要求サブチャネルを特定する割り当て要求サブチャネル情報を生成するサブチャネル要求生成部と、生成した割り当て要求サブチャネル情報を前記通信制御装置へ送信する送信部と、を備えることを特徴としている。【００２９】
このように、本発明の通信端末装置によれば、通信端末装置は、制御情報に基づいて、受信品質情報を通知するサブチャネルを決定することができる。従って、通信端末装置は、通信制御装置へ通知するフィードバック情報（受信品質情報）量を削減することができるとともに、通信制御装置側が効率的なスケジューリングを行なうことを可能にする。【００３０】
（９）また、本発明の通信端末装置は、通信制御装置から通信端末装置への送信が、所定の周波数帯域で定められる二以上のサブチャネルから構成される周波数チャネルを用いて行なわれる無線通信システムに適用される通信端末装置であって、各サブチャネルの混雑度を示す混雑情報を含む制御情報を受信する受信部と、各サブチャネルの受信品質を測定して受信品質情報を生成する受信品質測定部と、受信した制御情報に含まれる混雑情報に基づいて、割り当てを要求するサブチャネルを割り当て要求サブチャネルとして選択し、選択した割り当て要求サブチャネルを特定する割り当て要求サブチャネル情報を生成するサブチャネル要求生成部と、生成した割り当て要求サブチャネル情報を前記通信制御装置へ送信する送信部と、を備えることを特徴としている。【００３１】
このように、本発明の通信端末装置によれば、通信端末装置は、通知された混雑情報に基づいて、受信品質情報を通知するサブチャネルを決定することができる。従って、通信端末装置は、通信制御装置へ通知するフィードバック情報（受信品質情報）量を削減することができるとともに、通信制御装置側が効率的なスケジューリングを行なうことを可能にする。また、受信品質情報と混雑情報とに基づいてサブチャネルを選択することにより、所定の受信品質を維持しつつ、割り当てられる可能性の高いサブチャネルを選択することが可能になる。【００３２】
（１０）また、本発明の通信端末装置において、前記サブチャネル要求生成部は、選択したサブチャネルに関する受信品質情報を更に含む割り当て要求サブチャネル情報を生成することを特徴としている。【００３３】
このように、サブチャネル要求生成部は、受信品質情報を更に含む割り当て要求サブチャネル情報を生成することにより、受信品質を通知することができる。【００３４】
（１１）また、本発明の通信端末装置において、前記受信部は、さらに、前記割り当て要求サブチャネルの数を指定するサブチャネル数情報を含む制御情報を受信し、前記サブチャネル要求生成部は、制御情報に含まれるサブチャネル数情報に指定された数のサブチャネルを選択して割り当て要求サブチャネル情報を生成することを特徴としている。【００３５】
このように、サブチャネル要求生成部は、サブチャネル数情報を通知されることにより、通信制御装置が所望するサブチャネル数を把握することができ、効率のよいスケジューリングにつながることになる。【００３６】
（１２）また、本発明の通信端末装置において、前記サブチャネル要求生成部は、前記混雑情報が所定の混雑度より小さいサブチャネルを選択することを特徴としている。【００３７】
このように、サブチャネル要求生成部は、混雑度が所定の閾値より小さいサブチャネルを選択することにより、混雑しているサブチャネルを選択することを回避することができる。【００３８】
（１３）また、本発明の通信端末装置において、前記サブチャネル要求生成部は、前記受信品質情報が所定の閾値より大きいサブチャネルを選択することを特徴としている。【００３９】
このように、サブチャネル要求生成部は、受信品質情報が所定の閾値より大きいサブチャネルを選択することにより、所定の受信品質を維持するサブチャネルを選択することができる。【００４０】
（１４）また、本発明の通信端末装置において、前記サブチャネル要求生成部は、前記混雑情報が所定の混雑度より小さいサブチャネルを選択し、選択したサブチャネルから前記受信品質情報が良好な順番にサブチャネルを選択することを特徴としている。【００４１】
このように、サブチャネル要求生成部は、混雑度が所定の閾値より小さいサブチャネルであり、受信品質が良好なサブチャネルを順番に選択することができる。【００４２】
（１５）また、本発明の通信端末装置において、前記サブチャネル要求生成部は、前記受信品質情報が所定の値より良好なサブチャネルを選択し、選択したサブチャネルから前記混雑情報が小さい順番にサブチャネルを選択することを特徴としている。【００４３】
このように、受信品質が良好なサブチャネルが多い場合は、より品質のよいサブチャネルから選択することができる。【００４４】
（１６）また、本発明の通信端末装置において、前記サブチャネル要求生成部は、第一の閾値と前記第一の閾値より大きい第二の閾値とを設定し、前記第一閾値より前記混雑度が小さいサブチャネルを選択し、選択したサブチャネルが所定の受信品質を満たさない場合に、前記第一閾値より大きく前記第二閾値より小さい混雑度を示すサブチャネルが存在する場合、前記第二閾値より小さい混雑度を示すサブチャネルであって前記受信品質情報が所定品質であるサブチャネルを優先して割り当て要求サブチャネルとして選択することを特徴としている。【００４５】
このように、サブチャネル要求生成部は、混雑度が所定の閾値より小さく、受信品質が所定の品質を示すサブチャネルを選択することができる。これにより、混雑状況と受信品質とのバランスをとってサブチャネルを選択することを判断することができる。【００４６】
（１７）また、本発明の通信端末装置において、前記サブチャネル要求生成部は、前記混雑情報が所定の混雑度より小さいサブチャネルを選択し、選択したサブチャネルに加え、前記混雑情報が所定の混雑度以上のサブチャネルから、前記受信品質情報が良好な順番にサブチャネルを選択することを特徴としている。【００４７】
このように、サブチャネル要求生成部は、まず、混雑度が第一の閾値より小さいサブチャネルを選択し、次に混雑度が第二の閾値より小さいサブチャネルを、受信品質が良好な順番に選択することができる。これにより、まず混雑度を優先して判断し、次に混雑度と受信品質とを判断してサブチャネルを選択することができる。【００４８】
（１８）また、本発明の通信端末装置において、前記サブチャネル要求生成部は、前記混雑情報に基づく値と、前記受信品質情報に基づく値とを所定の演算式を用いて算出した値が示す順番にサブチャネルを選択することを特徴としている。【００４９】
このように、サブチャネル要求生成部は、混雑情報と受信品質情報それぞれが示す値を用いて、サブチャネルを選択する指標を算出することができる。これにより、混雑情報と受信品質情報との値を演算式によって数値化し、両方の値を所定の規則に基づいて加味してサブチャネルを選択する指標とすることができる。【００５０】
（１９）また、本発明の通信端末装置において、前記受信部は、各サブチャネルの送信待ち状態の情報データ量を示す値を混雑情報として受信し、前記サブチャネル要求生成部は、前記混雑情報に基づく値として各サブチャネルの送信待ち状態の情報データ量を示す値の逆数を用い、前記受信品質情報に基づく値として各サブチャネルの受信品質測定結果を用い、前記混雑情報に基づく値と前記受信品質情報に基づく値とを乗算した値の大きい順番にサブチャネルを選択することを特徴としている。【００５１】
このように、サブチャネル要求生成部は、送信待ち状態の情報データ量の逆数と受信品質を示す値とを乗算した算出結果を用いて、サブチャネルを選択する指標を算出することができる。これにより、混雑情報と受信品質情報との値を演算式によって数値化し、両方の値を所定の規則に基づいて加味してサブチャネルを選択する指標とすることができる。【００５２】
（２０）また、本発明の通信端末装置において、前記受信部は、多段階の混雑度の値を含む混雑情報を受信し、前記サブチャネル要求生成部は、前記多段階の混雑度を示す値に基づいて割り当てを要求するサブチャネルを選択することを特徴としている。【００５３】
このように、受信部は、多段階の混雑度の値を含む混雑情報を受信し、サブチャネル要求生成部は、多段階の混雑度を示す値に基づいて割り当てを要求するサブチャネルを選択するので、情報データ量の多いサブチャネルを避けて選択することが可能になる。【００５４】
（２１）また、本発明の通信端末装置において、前記受信部は、各サブチャネルの使用頻度を示す使用率を混雑情報として受信し、前記サブチャネル要求生成部は、前記使用率と前記受信品質情報とに基づいて割り当て要求チャネルを選択することを特徴としている。【００５５】
このように、サブチャネル要求生成部は、サブチャネルの使用頻度に基づいて、サブチャネルを選択することができる。【００５６】
（２２）また、本発明の通信端末装置において、前記受信部は、各サブチャネルへ情報データを割り当てた状況を示す割り当て情報を含む制御情報を受信し、前記サブチャネル要求生成部は、前記割り当て情報に基づいて各サブチャネルの使用頻度を示す使用率を算出し、算出した使用率と前記受信品質情報とに基づいて割り当て要求チャネルを選択することを特徴としている。【００５７】
このように、サブチャネル要求生成部は、使用率が高いサブチャネルを選択しないようにすること、あるいは、使用率が高くても受信品質も良好なサブチャネルは選択するなど、使用率に基づいてサブチャネルを選択することが可能になる。【００５８】
（２３）また、本発明の通信端末装置において、前記サブチャネル要求生成部は、各サブチャネルの受信信号電力を算出し、算出した受信信号電力の値に基づいて各サブチャネルの使用頻度を検出することを特徴としている。【００５９】
このように、サブチャネル要求生成部は、各サブチャネルの受信信号電力の値に基づいて、各サブチャネルの使用頻度を算出することができる。これにより、混雑状況を取得できない状況においても、各サブチャネルの使用頻度に基づいてサブチャネルを選択することができる。【００６０】
（２４）また、本発明の通信端末装置において、受信品質測定部は、各サブチャネルの受信品質を示す情報として、受信ＳＩＮＲ（Ｓｉｇｎａｌ  ｔｏ  Ｉｎｔｅｒｆｅｒｅｎｃｅ  ａｎｄ  Ｎｏｉｓｅ  Ｒａｔｉｏ）、受信ＳＮＲ（Ｓｉｇｎａｌ  ｔｏ  Ｎｏｉｓｅ  Ｒａｔｉｏ）のいずれかを測定することを特徴としている。【００６１】
このように、受信品質情報として、ＳＩＮＲ，ＳＮＲを用いることができる。【００６２】
（２５）また、本発明の無線通信システムは、通信制御装置から通信端末装置への送信が、所定の周波数帯域で定められる二以上のサブチャネルから構成される周波数チャネルを用いて行なわれる無線通信システムであって、前記通信制御装置は、前記通信端末装置へ送信する情報データを各サブチャネルへ割り当てるスケジューリング部と、各サブチャネルの混雑度を示す混雑情報を生成する混雑情報生成部と、生成した混雑情報を含む制御情報を生成する制御情報生成部と、生成した制御情報を前記端末装置へ送信する制御側送信部と、前記通信端末装置が前記混雑情報に基づいて選択したサブチャネルを特定する割り当て要求サブチャネル情報を受信する制御側受信部と、を備え、前記通信端末装置は、前記混雑情報を含む制御情報を受信する端末側受信部と、受信した制御情報に基づいて、各サブチャネルの受信品質を測定して受信品質情報を生成する受信品質測定部と、受信した制御情報に含まれる混雑情報と、生成した受信品質情報とに基づいて、割り当てを要求するサブチャネルを割り当て要求サブチャネルとして選択し、選択した割り当て要求サブチャネルを特定するサブチャネルを含む割り当て要求サブチャネル情報を生成するサブチャネル要求生成部と、生成した割り当て要求サブチャネル情報を前記通信制御装置へ送信する端末側送信部と、を備え、前記スケジューリング部は、前記割り当て要求サブチャネル情報に基づいて情報データの各サブチャネルへの割り当てを決定することを特徴としている。【００６３】
このように、本発明の無線通信システムによれば、通信制御装置は、各サブチャネルの混雑情報（混雑度）を通信端末装置へ通知する。これにより、通信端末装置側は、通知された混雑情報に基づいて、受信品質情報を通知するサブチャネルを決定することができる。従って、通信制御装置は、通信端末装置から受信するフィードバック情報（受信品質情報）量を削減することができるとともに、効率的なスケジューリングを行なうことが可能になる。すなわち、通信端末装置側は、受信品質情報と混雑情報とに基づいてサブチャネルを選択することにより、所定の受信品質を維持しつつ、割り当てられる可能性の高いサブチャネルを選択することになり、通信制御装置側では、すべてのサブチャネルの受信品質情報を解析することなく、通信端末装置が選択したサブチャネルの受信品質情報を解析することにより、所定の受信品質を維持するとともに効率のよいスケジューリングを実現することが可能になる。【００６４】
（２６）また、本発明の無線通信システムにおいて、前記スケジューリング部は、各サブチャネルに割り当てた情報データのうち、送信待ち状態の情報データを保持するサブチャネル毎のバッファを備え、前記混雑情報生成部は、前記バッファに保持されている各サブチャネルの送信待ち状態の情報データ量に基づいて混雑情報を生成することを特徴としている。【００６５】
このように、混雑情報生成部は、混雑情報として、サブチャネル毎に送信待ち状態の情報データ量がどのくらいあるかに基づいて、混雑状況を判断することができる。これにより、送信待ちの情報データ量が多いサブチャネルを混雑度が大きいとして通信端末装置へ通知することができる。通信端末装置側では、送信待ちの情報データ量の多さに加え、受信品質情報を加味して、割り当て要求サブチャネル情報を生成することができる。【００６６】
（２７）また、本発明の無線通信システムにおいて、前記混雑情報生成部は、各サブチャネルの使用頻度を示す混雑情報を生成することを特徴としている。【００６７】
このように、混雑情報生成部は、各サブチャネルの使用頻度に基づいて、混雑状況を判断することができる。これにより、使用率の高いサブチャネルを混雑度が大きいとして通信端末装置へ通知することができる。通信端末装置側では、使用率の大きさに加え、受信品質情報を加味して割り当て要求サブチャネル情報を生成することができる。【００６８】
（２８）また、本発明の通信方法は、通信制御装置から通信端末装置への送信が、所定の周波数帯域で定められる二以上のサブチャネルから構成される周波数チャネルを用いて行なわれる無線通信システムに適用される通信制御装置の通信方法であって、各サブチャネルの混雑度を示す混雑情報を生成し、生成した混雑情報を含む制御情報を生成し、生成した制御情報を前記端末装置へ送信することを特徴としている。【００６９】
このように、本発明の通信方法によれば、通信制御装置は、各サブチャネルの混雑情報（混雑度）を通信端末装置へ通知する。これにより、通信端末装置側は、通知された混雑情報に基づいて、受信品質情報を通知するサブチャネルを決定することができる。従って、通信制御装置は、通信端末装置から受信するフィードバック情報（受信品質情報）量を削減することができるとともに、効率的なスケジューリングを行なうことが可能になる。すなわち、通信端末装置側は、受信品質情報と混雑情報とに基づいてサブチャネルを選択することにより、所定の受信品質を維持しつつ、割り当てられる可能性の高いサブチャネルを選択することになり、通信制御装置側では、すべてのサブチャネルの受信品質情報を解析することなく、通信端末装置が選択したサブチャネルの受信品質情報を解析することにより、所定の受信品質を維持するとともに効率のよいスケジューリングを実現することが可能になる。【００７０】
（２９）本発明の通信方法は、通信制御装置から通信端末装置への送信が、所定の周波数帯域で定められる二以上のサブチャネルから構成される周波数チャネルを用いて行なわれる無線通信システムに適用される通信端末装置の通信方法であって、各サブチャネルの混雑度を示す混雑情報を含む制御情報を受信し、各サブチャネルの受信品質を測定して受信品質情報を生成し、受信した制御情報に含まれる混雑情報と、生成した受信品質情報とに基づいて、割り当てを要求するサブチャネルを割り当て要求サブチャネルとして選択し、選択した割り当て要求サブチャネルを特定するサブチャネルを含む割り当て要求サブチャネル情報を生成し、生成した割り当て要求サブチャネル情報を前記通信制御装置へ送信することを特徴としている。【００７１】
このように、本発明の通信方法によれば、通信端末装置は、通知された混雑情報に基づいて、受信品質情報を通知するサブチャネルを決定することができる。従って、通信端末装置は、通信制御装置へ通知するフィードバック情報（受信品質情報）量を削減することができるとともに、通信制御装置側が効率的なスケジューリングを行なうことを可能にする。また、受信品質情報と混雑情報とに基づいてサブチャネルを選択することにより、所定の受信品質を維持しつつ、割り当てられる可能性の高いサブチャネルを選択することが可能になる。【００７２】
（０−１）また、本発明の通信制御装置は、所定の周波数帯域で定められる二以上のサブチャネルから構成される周波数チャネルを用いて通信端末装置と通信を行なう通信制御装置であって、前記通信端末装置へ送信する情報データを各サブチャネルへ割り当てるスケジューリング部と、各サブチャネルの混雑度を示す混雑情報を生成する混雑情報生成部と、生成した混雑情報を含む制御情報を生成する制御情報生成部と、生成した制御情報を前記端末装置へ送信する送信部と、を備えることを特徴とする。【００７３】
このように、本発明の通信制御装置によれば、通信制御装置は、各サブチャネルの混雑情報（混雑度）を通信端末装置へ通知する。これにより、通信端末装置側は、通知された混雑情報に基づいて、受信品質情報を通知するサブチャネルを決定することができる。従って、通信制御装置は、通信端末装置から受信するフィードバック情報（受信品質情報）量を削減することができるとともに、効率的なスケジューリングを行なうことが可能になる。すなわち、通信端末装置側は、受信品質情報と混雑情報とに基づいてサブチャネルを選択することにより、所定の受信品質を維持しつつ、割り当てられる可能性の高いサブチャネルを選択することになり、通信制御装置側では、すべてのサブチャネルの受信品質情報を解析することなく、通信端末装置が選択したサブチャネルの受信品質情報を解析することにより、所定の受信品質を維持するとともに効率のよいスケジューリングを実現することが可能になる。【００７４】
（０−２）また、本発明の通信制御装置において、前記通信端末装置が前記混雑情報に基づいて選択したサブチャネルを特定するサブチャネル番号を含む割り当て要求サブチャネル情報を受信する受信部を、更に備え、前記スケジューリング部は、受信した割り当て要求サブチャネル情報に基づいて、情報データを各サブチャネルへ割り当てることを特徴とする。【００７５】
このように、スケジューリング部は、通信端末装置から通知される割り当て要求サブチャネル情報に基づいて、スケジューリングを行なうことにより、効率のよいスケジューリングが可能となる。【００７６】
（０−６）また、本発明の通信制御装置において、前記混雑情報生成部は、前記送信待ち状態のデータ量に応じて多段階にクラス分けした結果を示す値を混雑情報して生成することを特徴とする。【００７７】
このように、混雑情報生成部は、送信待ち状態の情報データ量と、情報データ量を所定の閾値で評価して多段階にクラス分けした値とのいずれかを通信端末装置へ通知することができる。【００７８】
（０−９）また、本発明の通信端末装置は、所定の周波数帯域で定められる二以上のサブチャネルから構成される周波数チャネルを用いて通信制御装置と通信を行なう通信端末装置であって、各サブチャネルの混雑度を示す混雑情報を含む制御情報を受信する受信部と、受信した制御情報に基づいて、各サブチャネルの受信品質を測定して受信品質情報を生成する受信品質測定部と、受信した制御情報に含まれる混雑情報と、生成した受信品質情報との少なくとも一方に基づいて、割り当てを要求するサブチャネルを割り当て要求サブチャネルとして選択し、選択した割り当て要求サブチャネルを特定するサブチャネル番号と、選択したサブチャネルに関する受信品質情報とを含む割り当て要求サブチャネル情報を生成するサブチャネル要求生成部と、生成した割り当て要求サブチャネル情報を前記通信制御装置へ送信する送信部と、を備えることを特徴とする。【００７９】
このように、本発明の通信端末装置によれば、通信端末装置は、通知された混雑情報に基づいて、受信品質情報を通知するサブチャネルを決定することができる。従って、通信端末装置は、通信制御装置へ通知するフィードバック情報（受信品質情報）量を削減することができるとともに、通信制御装置側が効率的なスケジューリングを行なうことを可能にする。また、受信品質情報と混雑情報とに基づいてサブチャネルを選択することにより、所定の受信品質を維持しつつ、割り当てられる可能性の高いサブチャネルを選択することが可能になる。【００８０】
（０−１１）また、本発明の通信端末装置において、前記サブチャネル要求生成部は、全サブチャネルの数より少ない数のサブチャネルを選択して割り当て要求サブチャネル情報を生成することを特徴とする。【００８１】
このように、サブチャネル要求生成部は、混雑情報と受信品質情報とに基づいてサブチャネルを選択するため、割り当てられる可能性の高いサブチャネルを選択することができる。これにより、全サブチャネルの受信品質情報を通信制御装置へ通知する必要性がなくなる。【００８２】
（０−１２）また、本発明の通信端末装置において、前記受信部は、さらに、前記割り当て要求サブチャネルの数を指定するサブチャネル数情報を含む制御情報を受信し、前記サブチャネル要求生成部は、制御情報に含まれるサブチャネル数情報に指定された数または指定された数より少ない数のサブチャネルを選択して割り当て要求サブチャネル情報を生成することを特徴とする。【００８３】
このように、サブチャネル要求生成部は、サブチャネル数情報を通知されることにより、通信制御装置が所望するサブチャネル数を把握することができ、効率のよいスケジューリングにつながることになる。【００８４】
（０−２１）本発明の通信端末装置において、前記受信部は、各サブチャネルの送信待ち状態の情報データ量、または、前記送信待ち状態のデータ量に応じて多段階にクラス分けした結果を示す値の少なくとも一方を各サブチャネルの送信待ち状態の情報データ量を示す値として含む混雑情報を受信し、前記サブチャネル要求生成部は、前記各サブチャネルの送信待ち状態の情報データ量を示す値に基づいて割り当てを要求するサブチャネルを選択することを特徴とする。【００８５】
このように、サブチャネル要求生成部は、送信待ち状態の情報データ量に基づいて、サブチャネルを選択することができる。これにより、情報データ量の多いサブチャネルを避けて選択することが可能になる。【００８６】
（０−２６）また、本発明の無線通信システムは、所定の周波数帯域で定められる二以上のサブチャネルから構成される周波数チャネルを用いて通信制御装置と通信端末装置との間で通信を行なう無線通信システムであって、前記通信制御装置は、前記通信端末装置へ送信する情報データを各サブチャネルへ割り当て情報データを各サブチャネルへ割り当てるスケジューリング部と、各サブチャネルの混雑度を示す混雑情報を生成する混雑情報生成部と、生成した混雑情報を含む制御情報を生成する制御情報生成部と、生成した制御情報を前記端末装置へ送信する制御側送信部と、を備え、前記通信端末装置は、前記混雑情報を含む制御情報を受信する端末側受信部と、受信した制御情報に基づいて、各サブチャネルの受信品質を測定して受信品質情報を生成する受信品質測定部と、受信した制御情報に含まれる混雑情報と、生成した受信品質情報とに基づいて、割り当てを要求するサブチャネルを割り当て要求サブチャネルとして選択し、選択した割り当て要求サブチャネルを特定するサブチャネル番号を含む割り当て要求サブチャネル情報を生成するサブチャネル要求生成部と、生成した割り当て要求サブチャネル情報を前記通信制御装置へ送信する端末側送信部と、を備えることを特徴とする。【００８７】
このように、本発明の無線通信システムによれば、通信制御装置は、各サブチャネルの混雑情報（混雑度）を通信端末装置へ通知する。これにより、通信端末装置側は、通知された混雑情報に基づいて、受信品質情報を通知するサブチャネルを決定することができる。従って、通信制御装置は、通信端末装置から受信するフィードバック情報（受信品質情報）量を削減することができるとともに、効率的なスケジューリングを行なうことが可能になる。すなわち、通信端末装置側は、受信品質情報と混雑情報とに基づいてサブチャネルを選択することにより、所定の受信品質を維持しつつ、割り当てられる可能性の高いサブチャネルを選択することになり、通信制御装置側では、すべてのサブチャネルの受信品質情報を解析することなく、通信端末装置が選択したサブチャネルの受信品質情報を解析することにより、所定の受信品質を維持するとともに効率のよいスケジューリングを実現することが可能になる。
【発明の効果】
【００８８】
本発明によれば、通信の混雑情況に基づいて、通信端末装置が報告する受信品質の情報量を削減することができる。これにより、通信端末装置から通信制御装置へ通知する制御情報量を抑制し、効率的なスケジューリングを可能にする。
【図面の簡単な説明】
【００８９】
【図１】本発明の第１の実施形態に係る通信制御装置の構成の一例を示すブロック図である。
【図２】本発明の第１の実施形態に係る通信端末装置の構成の一例を示すブロック図である。
【図３】第１の実施形態の無線通信システムの動作の一例を示すフローチャートである。
【図４】第１の実施形態の通信端末装置が受信品質を通知するサブチャネルを選択する動作の一例を示すフローチャートである。
【図５】混雑情報を含む制御情報の一例を示す図である。
【図６】第２の実施形態の無線通信システムの動作の一例を示すフローチャートである。
【図７】スケジューリング部の内部構成の一例を示す図である。
【図８】バッファリングデータ量の推移の一例を示す図である。
【図９】第３の実施形態で用いるフレーム構成の一例を示す図である。
【図１０】第３の実施形態の通信端末装置から受信品質情報を取得する動作（受信品質取得処理）の一例を示すフローチャートである。
【図１１】第３の実施形態のデータスロットを割り当てる動作（データスロット割り当て処理）の一例を示すフローチャートである。
【図１２】第３の実施形態のスロット使用率を送信する動作（スロット使用率送信処理）の一例を示すフローチャートである。
【図１３】第３の実施形態の通信制御装置において各処理を実現するソフトウェアが動作する環境の一例を示す図である。
【図１４】第３の実施形態の各処理を実施するソフトウェアを各構成要素へ追加した構成の一例を示す図である。
【図１５】第３の実施形態の通信端末装置２００の受信品質情報を送信する動作の一例を示すフローチャートである。
【図１６】第３の実施形態で通信端末装置が用いる受信品質比較テーブルの一例を示す図である。
【図１７】従来の基地局装置（通信制御装置）の構成の一例を示す図である。
【図１８】従来の通信端末装置の構成の一例を示す図である。
【符号の説明】
【００９０】
１００  通信制御装置
１０１  スケジューリング部
１０２  マルチプレックス部
１０３  混雑情報生成部
１０４  制御情報生成部
１０５  スイッチ（ＳＷ）
１０６  誤り訂正符号部
１０７  マッピング部
１０８  ＩＦＦＴ部
１０９  ガードインターバル（ＧＩ）挿入部
１１０  Ｄ／Ａ変換部
１１１  送信部（制御側送信部）
１１２  アンテナ部（制御側アンテナ部）
１１３  受信部（制御側受信部）
２００  通信端末装置
２０１  アンテナ部（端末側アンテナ部）
２０２  受信部（端末側受信部）
２０３  Ａ／Ｄ変換部
２０４  同期部
２０５  ガードインターバル（ＧＩ）除去部
２０６  ＦＦＴ部
２０７  伝搬路推定部
２０８  デマッピング部
２０９  誤り訂正復号部
２１０  スイッチ（ＳＷ）
２１１  デマルチプレックス部
２１２  サブチャネル選択部
２１３  制御情報デコード部
２１４  受信品質測定部
２１５  サブチャネル要求生成部
２１６  制御部
２１７  送信部（端末側送信部）
【発明を実施するための最良の形態】
【００９１】
次に、本発明の実施形態について、図面を参照しながら説明する。以下に説明する各実施形態では、ＯＦＤＭＡシステムにおいて、通信制御装置は、サブチャネル（サブキャリア）毎の混雑状況を報知し、通信端末装置は、各サブチャネル（サブキャリア）の受信品質および混雑状況を考慮して、割り当て要求を行なうサブチャネル（サブキャリア）を効率よく選択する手法ついて説明する。混雑状況としては、サブチャネル毎にバッファリングされている伝送予定データ量、あるいは、各サブチャネルの使用頻度等などがある。【００９２】
各実施形態では、一定の周波数帯域で定められる二以上のサブチャネルから構成される周波数チャネルを用いて、複数の通信装置の間で通信を行なう無線通信システムにおいて、各サブチャネルにデータを割り当てるスケジューリングに関し、混雑度を示す混雑情報を用いてスケジューリングを行なう。以下では、説明をわかりやすくするために、スケジューリング機能を有する通信装置を通信制御装置とし、通信制御装置がスケジューリングを行なうときに用いる受信品質を通知する受信品質通知機能を有する通信装置を通信端末装置として説明する。しかしながら、一つの通信装置がスケジューリング機能と受信品質通知機能とを備えることを排除するものではなく、二つの機能を備え、スケジューリング機能を実施する期間と受信品質通知機能を有する期間とがあり、二つの機能を実現するような通信装置であってもよい。また、本発明は、通信制御装置と通信端末装置の区別がなく、通信装置同士の一方がスケジューリング機能を有し、他方の通信装置が受信品質通知機能を有する通信装置に適用できるものであり、複数の通信装置同士が対等な関係にある場合にも適用される。【００９３】
各実施形態では、通信制御装置は基地局を想定し、通信端末装置は端末（移動局、例えば、携帯電話、無線機、携帯端末等を含む）を想定する態様を一例として説明するが、これに限られるわけではない。また、通信端末装置は、端末と記すこともある。【００９４】
また、以下に説明する各実施形態では、ＯＦＤＭＡ通信システムを一例として適用して説明するが、これに限られるわけではない。混雑情報を用いて、複数のサブチャネルへデータを割り当てるスケジューリングを行なう通信装置、無線通信システム、または、通信方法であれば本発明を適用することができる。【００９５】
さらに、各実施形態では、各周波数チャネルの受信品質（チャネル品質）を表す情報の一例として、各周波数チャネルのＳＩＮＲ（Ｓｉｇｎａｌ  ｔｏ  Ｉｎｔｅｒｆｅｒｅｎｃｅ  ａｎｄ  Ｎｏｉｓｅ  Ｒａｔｉｏ）を用いて説明する。しかしながら、受信品質は、ＳＩＮＲに限られるものではなく、受信信号電力とキャリア信号電力から算出される伝搬路品質、または、受信データの誤り量から算出される受信データ品質などを用いることができる。例えば、受信信号電力とキャリア信号電力から算出される伝搬路品質として、ＳＮＲ（Ｓｉｇｎａｌ  ｔｏ  Ｎｏｉｓｅ  Ｒａｔｉｏ）、ＳＩＲ（Ｓｉｇｎａｌ  ｔｏ  Ｉｎｔｅｒｆｅｒｅｎｃｅ  Ｒａｔｉｏ）、ＣＩＮＲ（Ｃａｒｒｉｅｒ  ｔｏ  Ｉｎｔｅｒｆｅｒｅｎｃｅ  ａｎｄ  Ｎｏｉｓｅ  Ｒａｔｉｏ）、ＣＮＲ（Ｃａｒｒｉｅｒ  ｔｏ  Ｎｏｉｓｅ  Ｒａｔｉｏ）、ＣＩＲ（Ｃａｒｒｉｅｒ  ｔｏ  Ｉｎｔｅｒｆｅｒｅｎｃｅ  Ｒａｔｉｏ）、ＲＳＳＩ（Ｒｅｃｅｉｖｅｄ  Ｓｉｇｎａｌ  Ｓｔｒｅｎｇｔｈ  Ｉｎｄｉｃａｔｏｒ）を用いてもよく、また、受信データの誤り量から算出される受信データ品質を示す指標として、ＢＥＲ（Ｂｉｔ  Ｅｒｒｏｒ  Ｒａｔｅ）、ＰＥＲ（Ｐａｃｋｅｔ  Ｅｒｒｏｒ  Ｒａｔｅ）、ＢＬＥＲ（Ｂｌｏｃｋ  Ｅｒｒｏｒ  Ｒａｔｅ）などを用いることが可能である。【００９６】
（第１の実施形態）
第１の実施形態では、無線通信システムは、ＯＦＤＭＡ通信方式を一例として適用し、Ｍ（＞１）個のサブチャネルが存在し、通信制御装置は通信端末装置が測定するサブチャネル毎の受信品質情報を特定のフレームにおいてＮ（＜Ｍ）個要求する例を説明する。【００９７】
図１は、本発明の第１の実施形態に係る通信制御装置の構成の一例を示すブロック図である。図２は、本発明の第１の実施形態に係る通信端末装置の構成の一例を示すブロック図である。図１に示す通信制御装置１００は、スケジューリング部１０１、マルチプレックス部１０２、混雑情報生成部１０３、制御情報生成部１０４、スイッチ（ＳＷ）１０５、誤り訂正符号部１０６、マッピング部１０７、ＩＦＦＴ（Ｉｎｖｅｒｓｅ  Ｆａｓｔ  Ｆｏｕｒｉｅｒ  Ｔｒａｎｓｆｏｒｍ：逆高速フーリエ変換）部１０８、ガードインターバル（ＧＩ：Ｇｕａｒｄ  Ｉｎｔｅｒｖａｌ）挿入部１０９、Ｄ／Ａ（Ｄｉｇｉｔａｌ／Ａｎａｌｏｇ）変換部１１０、送信部（無線送信部、制御側送信部）１１１、アンテナ部（制御側アンテナ部）１１２および受信部（アップリンク受信部、制御側受信部）１１３を備える。【００９８】
図２に示す通信端末装置２００は、アンテナ部（端末側アンテナ部）２０１、受信部（無線受信部、端末側受信部）２０２、Ａ／Ｄ（Ａｎａｌｏｇ／Ｄｉｇｉｔａｌ）変換部２０３、同期部２０４、ガードインターバル（ＧＩ）除去部２０５、ＦＦＴ（Ｆａｓｔ  Ｆｏｕｒｉｅｒ  Ｔｒａｎｓｆｏｒｍ：高速フーリエ変換）部２０６、伝搬路推定部２０７、デマッピング部２０８、誤り訂正復号部２０９、スイッチ（ＳＷ）２１０、デマルチプレックス部２１１、サブチャネル選択部２１２、制御情報デコード部２１３、受信品質測定部２１４、サブチャネル要求生成部２１５、制御部２１６、および、送信部（アップリンク送信部、端末側送信部）２１７を備える。【００９９】
また、以下の説明では、通信端末装置２００を一つ示して説明するが、通信端末装置２００は、複数存在し、通信制御装置１００は、複数の通信端末装置２００と信号を送受信することができるものであり、以下の各実施形態でも同様である。【０１００】
まず、通信制御装置１００について説明する。スケジューリング部１０１は、各通信端末装置２００を宛先とする情報データをバッファリングし、通信端末装置２００からフィードバックされる各サブチャネルの受信品質情報（受信品質測定結果、チャネル品質情報）を基に各サブチャネルにデータを割り当て、周波数チャネル内のサブチャネルの割り当てを決め、決められた割り当てを割り当て情報として生成する。スケジューリング部１０１は、サブチャネル毎に送信待ちバッファ（バッファ、記憶領域）を備え、送信待ち状態の情報データをサブチャネル毎に一時的に保持する。また、本実施形態では、通信端末装置２００から送信される割り当て要求サブチャネル情報に基づいてデータを割り当て、割り当て情報を生成する。この点については、後述する。【０１０１】
マルチプレックス部１０２は各サブチャネルに対する送信データをまとめる。混雑情報生成部１０３は、スケジューリング部１０１が生成した割り当て情報に基づいて各サブチャネルの混雑度合いを示す混雑情報を生成する。混雑度は、情報データがバッファリングされている量（混雑状況）に基づいて、混雑の度合いを示す。例えば、バッファリングされている量に基づいて、三つの段階に分け（所定の閾値で区分して）、混雑度Ａ、混雑度Ｂ、混雑度Ｃのように示す。【０１０２】
制御情報生成部１０４はスケジューリング部１０１が生成した割り当て情報と混雑情報生成部１０３が生成した混雑情報に基づいてフレーム先頭に配置する制御情報を生成する。スイッチ部１０５は後段（誤り訂正符号部１０６以降の構成要素）に送る信号を制御情報と情報データとで切り替える。誤り訂正符号部１０６はデータに対し誤り訂正符号化処理を施す。マッピング部１０７はスケジューリング部１０１の割り当て情報に基づき各サブキャリアに対して情報ビットを割り当てる。ＩＦＦＴ部１０８はサブキャリア毎の信号を時間軸信号に変換する。ガードインターバル挿入部１０９はガードインターバルを付加する。Ｄ／Ａ変換部１１０は、デジタル信号をアナログ信号に変換する。送信部１１１は、Ｄ／Ａ変換部１１０から出力されたベースバンド信号を使用するＲＦ（Ｒａｄｉｏ  Ｆｒｅｑｕｅｎｃｙ）帯に変換し、必要な電力まで増幅する。アンテナ部１１２は送信部１１１の出力を空中に送信するためのアンテナを備える。受信部１１３は端末から送信されたアップリンク信号を受信し、チャネル品質情報や情報データを復調する。【０１０３】
なお、スケジューリングの対象となる情報データは、優先接続などのバックボーン通信回線を介して受信（取得）した情報データ、あるいは、通信端末装置２００から送信され、受信部１１３が受信した情報データなどであり、スケジューリング部１０１が処理する。【０１０４】
次に、通信端末装置２００について説明する。アンテナ部２０１は信号を受信するアンテナを備える。受信部２０２は、アンテナ部２０１で受信した信号から必要な信号を取り出し、ベースバンド信号に変換する。Ａ／Ｄ変換部２０３は、受信部２０２から出力されるベースバンド信号をデジタル信号に変換する。同期部２０４は、Ａ／Ｄ変換部２０３から出力される信号を観測し、ＯＦＤＭシンボル単位の同期タイミングを検出する。ガードインターバル除去部２０５は同期部２０４の同期タイミングに従ってＯＦＤＭシンボルのガードインターバルの除去を行なう。ＦＦＴ部２０６は、ガードインターバルを除去した信号に対しＦＦＴ（高速フーリエ変換）を施し、各サブキャリア単位の信号に変換する。【０１０５】
伝搬路推定部２０７は、受信信号より伝搬路を推定し、推定結果を利用してサブキャリア毎の信号を補正する。デマッピング部２０８は、各サブキャリアに割り当てられている情報ビットを取り出し、並べなおす。誤り訂正復号部２０９は、誤り訂正復号を行ない、受信誤りの訂正を行なう。スイッチ部２１０は、受信信号をデマルチプレックス部２１１と制御情報デコード部２１３に切り替えて入力する。受信信号のうち、情報データ部分はデマルチプレックス部２１１へ入力され、制御情報部分は、制御情報デコード部２１３へ入力される。デマルチプレックス部２１１は、復号した受信信号をサブチャネル毎に分割する。【０１０６】
サブチャネル選択部２１２は、制御情報に従って各サブチャネルから必要な情報を取り出す。制御情報デコード部２１３は、フレームの制御情報を復調して各ブロックに伝える。具体的には、制御情報デコード部２１３は、制御情報を制御部２１６へ通知し、制御情報に含まれる混雑情報を抽出して、抽出した混雑情報をサブチャネル要求生成部２１５へ通知する。受信品質測定部２１４は、ＦＦＴ部２０６の出力と伝搬路推定部２０７の出力から各サブチャネルの受信品質を測定し、測定した受信品質測定結果をサブチャネル要求生成部２１５と制御部２１６に伝える。【０１０７】
サブチャネル要求生成部２１５は、制御情報デコード部２１３から出力される情報（混雑情報）から各サブチャネルの混雑状況の判定を行ない、受信品質測定部２１４から出力される各サブチャネルの受信品質情報（チャネル品質情報）と各サブチャネルの混雑状況とに基づいて、送信要求を行なう（割り当てを要求する）サブチャネルを指定する割り当て要求サブチャネル情報を生成する。割り当て要求サブチャネル情報は、割り当てを要求するサブチャネルを示すサブチャネルのＩＤ（サブチャネルを識別する識別子、サブチャネル番号）と、前記サブチャネルに関する受信品質を示す受信品質情報とを含む（サブチャネルＩＤと受信品質情報との組み合わせ）。なお、割り当て要求サブチャネル情報は、少なくともサブチャネルＩＤを含み、受信品質情報が無い場合であってもよい（サブチャネルＩＤのみ）。制御部２１６は各ブロックの出力を監視しながら各ブロックの動作を制御すると共に、割り当て要求サブチャネル情報を含むアップリンク送信内容を制御する。割り当てを要求するサブチャネルを割り当て要求サブチャネルと称す。送信部２１７は通信制御装置に対してアップリンクデータを送信する。【０１０８】
次に、本実施形態の無線通信システムの動作について図３、図４を用いて説明する。図３は、本実施形態の無線通信システムの動作の一例を示すフローチャートである。図４は、本実施形態の通信端末装置が受信品質を通知するサブチャネルを選択する動作の一例を示すフローチャートである。前述したように無線通信システムは、Ｍ（Ｍ＞１）個のサブチャネルから構成される周波数チャネルを用いて通信を行ない、通信端末装置２００は、Ｎ（Ｎ＜Ｍ）個のサブチャネルの受信品質情報を通信制御装置１００へ通知することを前提とする。【０１０９】
通信制御装置１００において、混雑情報生成部１０３は、フレーム送信毎にサブチャネル毎のスケジューリング部１０１に保持する送信待ちバッファを確認し、サブチャネル毎の混雑状況でクラス分けを行ない、混雑情報を生成する（ステップＳ３１）。本実施形態では混雑情報生成部１０３は、混雑状況を３つのクラスに分けるものとし、クラスＡは非常に混雑、クラスＢは混雑、クラスＣは余裕ありとする。生成した混雑情報は報知チャネルとして、毎フレーム送信するものとする（ステップＳ３２）。報知チャネルは、通信制御装置１００からの信号を受信可能な範囲に存在するすべての通信端末装置２００が受信可能なチャネルである。本実施形態では毎フレーム送信するとしているが、報知チャネルの容量が少ないときは複数フレームに分割して送信する、または、複数フレームに一度送信するなどの方法を用いても良い。【０１１０】
図５は、混雑情報を含む制御情報の一例を示す図である。図５は、複数のスロットから構成されるフレームを用いて通信を行なう場合に、複数のスロットの内、制御情報が割り当てられた制御スロットの構成の一例を示している。本明細書では、スロットは、一定の時間長で定められる一つ以上の時間チャネルと、一定の周波数帯域で定められる一つ以上の周波数チャネルとによって特定されるものとする。【０１１１】
制御情報は、チャネル品質測定用信号５０１、共通制御情報５０２、混雑情報５０３、スロット割当情報５０４を含む。また、サブチャネル５０５で示した範囲は、サブチャネル毎の情報の単位を示す。チャネル品質測定用信号５０１は、各サブチャネルの受信品質を測定する信号である。一例として数サブキャリアおきに送信しないサブキャリアを設けて受信時に送信したキャリアと送信しないキャリアの電力を比較する電力比（受信電力比）という方法がある。具体的には、送信するチャネル品質測定用信号中のサブキャリア群の中に電力が乗っているサブキャリアと電力が乗っていないサブキャリアを用意し、受信側で受信信号中のサブキャリアの受信電力比からＳＩＮＲを求める。共通制御情報５０２は通信制御装置ＩＤ番号や現在の時刻情報など全通信端末装置２００で共有される情報が含まれる。混雑情報５０３は、サブチャネル毎に用意され、各サブチャネル５０５の範囲に配置される。スロット割当情報５０４は後続のデータスロットに対しどの通信端末装置２００が割り当てられ、変調方式が何であるかを示す情報が含まれる。スロット割当情報５０４もサブチャネル毎に用意される。【０１１２】
受信部１１３は、通信端末装置２００からデータを受信し、受信したデータが、割り当て要求チャネル情報と受信品質情報とを含む受信品質通知フレームであるかを確認する（ステップＳ３３）。受信部１１３は、数フレーム毎に一度、受信品質通知フレームを受信する。受信品質通知フレームである場合（ステップＳ３３でＹＥＳ）、受信部１１３は、受信品質通知フレームから割り当て要求サブチャネル情報（要求されたサブチャネルのＩＤと受信品質情報）を抽出し、スケジューリング部１０１へ通知する。受信部１１３は、各通信端末装置２００からの受信品質情報をＮ個受信する（ステップＳ３４）。以降次の受信品質通知フレームがくるまで、受信したＳＩＮＲ情報に基づいてチャネルを振り分け端末との通信を行なう。通信制御装置１００は、フレームを送信する度に、ステップＳ３１からステップＳ３４の動作を繰り返す。【０１１３】
一方、通信端末装置２００において、受信品質測定部２１４は、ＦＦＴ部２０６から出力される信号と伝搬路推定部２０７から出力される信号とに基づいて、受信品質を測定する（ステップＳ４１）。受信品質の測定は、通信制御装置１００から送信される制御信号が用いられる。制御信号は、通信端末装置２００が既知である情報（例えば、ＳＩＮＲ測定用信号）を含む。ＦＦＴ部２０６および伝搬路推定部２０７から出力される信号は、受信部２０２が受信した制御信号に基づく信号である。受信品質測定部２１４は、測定した受信品質測定結果をサブチャネル要求生成部２１５と制御部２１６へ通知する。次に、サブチャネル要求生成部２１５は、測定した受信品質測定結果を通信制御装置１００へ通知するサブチャネルを選択（決定）する（ステップＳ４２）。ここでは、サブチャネル要求生成部２１５は、Ｎ個のサブチャネルを選択する。ステップＳ４２については、図４を用いて後述する。制御部２１６は、受信品質通知フレームを検出し（ステップＳ４３）、検出した受信品質通知フレームを用いて選択されたＮ個のサブチャネルＩＤと各サブチャネルの受信品質情報（割り当て要求サブチャネル情報）を通信制御装置１００に送信する（ステップＳ４４）。【０１１４】
次に、図４を用いて、サブチャネル選択の手順を説明する。サブチャネル要求生成部２１５は、制御情報デコード部２１３から制御情報に含まれる混雑情報を取得し、取得した混雑情報に基づいて、混雑度がＡとＡ以外のサブチャネルに分ける（ステップＳ４２１）。混雑度Ａ以外のサブチャネルの数Ｌ個がＮ個以上の場合（ステップＳ４２４でＹＥＳ）、サブチャネル要求生成部２１５は、Ｌ個のサブチャネル中、受信品質測定結果の高い順にＮ個を選択して通知候補とする（ステップＳ４２５）。次に、サブチャネル要求生成部２１５は、Ｎ個のサブチャネル中に混雑度Ｂのサブチャネルがあるかを検索する（ステップＳ４２６）。混雑度Ｂのサブチャネルがある場合（ステップＳ４２６でＹＥＳ）、サブチャネル要求生成部２１５は、混雑度Ｃのサブチャネルと混雑度Ｂのサブチャネルとの受信品質測定結果の差を比較する（ステップＳ４２７）。具体的には、混雑度Ｃのサブチャネルと混雑度ＢのサブチャネルのＳＩＮＲ差を算出し、算出した差がＸｄＢ（Ｘは、閾値）以内の場合（ステップＳ４２７でＹＥＳ）、サブチャネル要求生成部２１５は、該当するサブチャネル（ＳＩＮＲ差がＸｄＢ以内の混雑度Ｃのサブチャネル）を全て候補サブチャネルとしている混雑度Ｂのチャネルと入れ替える（ステップＳ４２８）。サブチャネル要求生成部２１５は、選択した候補サブチャネルを通知チャネルに決定する（ステップＳ４２９）。【０１１５】
また、混雑度Ａ以外のサブチャネルの数Ｌ個がＮ個より小さい場合（ステップＳ４２４でＮＯ）、サブチャネル要求生成部２１５は、Ｌ個のサブチャネルを候補チャネルに決定する（ステップＳ４２２）。次に、サブチャネル要求生成部２１５は、候補サブチャネルとして不足分となる（Ｎ−Ｌ）個のサブチャネルを混雑度Ａのサブチャネルから受信品質測定結果（ＳＩＮＲ）の高い順に候補サブチャネルとして決定し（ステップＳ４２３）、先に選択したＬ個のサブチャネルとあわせて最終的な通知サブチャネルに決定する（ステップＳ４２９）。また、サブチャネル要求生成部２１５は、ステップＳ４２６で混雑度Ｂのサブチャネルが候補サブチャネルに含まれない場合（ステップＳ４２６でＮＯ）、即ち、候補サブチャネルが全て混雑度Ｃの場合は、ステップＳ４２９でそれらを通知サブチャネルとして、決定する。【０１１６】
このように、通信制御装置１００は、各サブチャネルの混雑情報（混雑度）を通信端末装置２００へ通知し、通信端末装置２００は、通知された混雑情報に基づいて、受信品質情報を通知するサブチャネルを決定する。これにより、通信端末装置２００から通信制御装置１００に通知するフィードバック情報（受信品質情報）を削減し、通信制御装置１００で効率的なスケジューリングを行なうことが可能になる。また、サブチャネル要求生成部２１５、受信品質情報が所定の値より良好なサブチャネルを選択し、選択したサブチャネルから混雑情報が小さい順番にサブチャネルを選択することもできる。【０１１７】
また、受信品質情報と混雑情報とに基づいてサブチャネルを選択することにより、所定の受信品質を維持しつつ、割り当てられる可能性の高いサブチャネルを選択することが可能になる。【０１１８】
なお、上記実施形態では、通信端末装置２００は、混雑情報と受信品質情報とに基づいて所定の数の割り当て要求サブチャネルを選択する例を説明した。選択するサブチャネルの数については、通信端末装置２００で所定の数を決めてもよいし、通信制御装置１００から指定される場合であってもよい。たとえば、通信制御装置１００の混雑情報生成部１０３（あるいは、スケジューリング部１０１）が割り当てを要求するサブチャネルの数を指定するサブチャネル数情報を生成し、制御情報生成部１０４は、サブチャネル数情報を制御情報に含めて通信端末装置２００へ通知する。通信端末装置２００の制御情報デコード部２１３は、制御情報から混雑情報とともにサブチャネル数情報を抽出してサブチャネル要求生成部２１５へ通知し、サブチャネル要求生成部２１５は、サブチャネル数情報に指定された数のサブチャネルを選択する。これにより、通信制御装置１００側で割り当て要求サブチャネル情報に含まれるサブチャネルの数を調整することが可能になる。従って、通信制御装置１００は、所望の数の受信品質情報を取得することが可能になり、効率よいスケジューリングを行なうことができる。【０１１９】
（第２の実施形態）
第２の実施形態では、送信待ち状態になっているデータ量によって混雑状況を判断する。本実施形態では、図１および図２に示した通信制御装置１００、通信端末装置２００と同様の構成を用いて説明する。図６は、本実施形態の無線通信システムの動作の一例を示すフローチャートである。【０１２０】
通信制御装置１００において、送信部１１１は、制御信号を通信端末装置２００へ送信する（ステップＳ５１）。制御信号は、セル内のスロット割り当て情報やＳＩＮＲ測定用信号（受信品質情報の一例）、および、バッファリングデータ量情報を含む。バッファリングデータ量情報は、スケジューリング部１０１が保持する各サブチャネルの送信待ちバッファにどれだけのデータが送信待ち状態で保持されているかを示す。制御信号は、定期的に通信制御装置１００から通信端末装置２００へ送信される。本実施形態におけるバッファリングデータ量はｂｙｔｅ単位で表されるものとする。本実施形態ではこのバッファリングデータ量を混雑状況の指標、混雑情報として使用する。【０１２１】
図７は、スケジューリング部１０１の内部構成の一例を示す図である。ここでは、３つ通信端末装置２００向けの信号を４つのサブチャネルに割り当てる場合を示す。通信端末装置２００として、端末Ａ、端末Ｂ、端末Ｃの３つを用いて説明する。スケジューリング部１０１は、サブチャネル選択部７０１、バッファ（送信待ちバッファ）７０２ａ〜７０２ｄ、スロット割当部７０３を備える。サブチャネル選択部７０１は、各端末からの情報データを入力し、各端末向けの情報データを送信するサブチャネルを選択し、選択したサブチャネルの情報データを保持するバッファ７０２ａ〜７０２ｄへ振り分ける。バッファ７０２ａ〜７０２ｄは、サブチャネル毎に送信待ちのデータを保持（格納）する送信待ちバッファである。バッファ７０２ａ〜７０２ｄは、一例としてＦＩＦＯ（Ｆｉｒｓｔ  Ｉｎ  Ｆｉｒｓｔ  Ｏｕｔ）方式の記憶領域となっている。スロット割当部７０３は、各バッファに振り分けられた情報データをスロットへ割り当てる。割り当てられた情報データは、バッファ７０２ａ〜７０２ｄから読み出され、各端末へ送信されることになる。【０１２２】
バッファ７０２ａ〜７０２ｄは、サブチャネル選択部７０１が振り分けた情報データのうち、スロット割当部７０３が読み出していない情報データの量をバッファリングデータ量情報とする。バッファリングデータ量はその時々の各端末に対する送信要求データ量とスロット割当量に依存して変化する。送信要求に対しスロット割当量が多ければバッファリングデータ量は減り、送信要求に対してスロット割当量が少なければバッファリングデータ量は増える。図８は、バッファリングデータ量の推移の一例を示す図である。バッファリングデータ量は、スケジューリング部１０１から制御情報生成部１０４へ通知される。制御情報生成部１０４は、通知されたバッファリング量情報を含む制御情報を生成し、生成された制御情報は、ステップＳ５１にて制御信号として各端末へ送信される。【０１２３】
次に、制御信号を受信した各通信端末装置２００の動作を説明する。受信部２０２は、制御信号を受信し（ステップＳ６１）、受信品質測定部２１４は、受信した制御信号に含まれるＳＩＮＲ測定用信号を用いて各サブチャネルの受信ＳＩＮＲの測定を行ない（ステップＳ６２）、測定された各サブチャネルの受信ＳＩＮＲ値を記憶する。次に、制御情報デコード部２１３は、セル内のスロット割り当て情報や各サブチャネルのバッファリングデータ量情報の復調を行なう（ステップＳ６３）。バッファリングデータ量は、送信待ち状態のデータがサブチャネルに全くない場合には０ｂｙｔｅに設定されている。【０１２４】
サブチャネル要求生成部２１５は、バッファリングデータ量が０ｂｙｔｅとなっているサブチャネルの有無を判断する（ステップＳ６４）。バッファリングデータ量が０ｂｙｔｅとなっているサブチャネルがない場合（ステップＳ６４でＮＯ）、ステップＳ６６へ移る。一方、バッファリングデータ量が０ｂｙｔｅとなっているサブチャネルがある場合（ステップＳ６４でＹＥＳ）、ステップＳ６５へ移り、サブチャネルのバッファリングデータ量を１に変更した後、ステップＳ６６へ移る。ステップＳ６６では、先に測定されたサブチャネル毎の受信ＳＩＮＲ値と、各サブチャネルのバッファリングデータ量の逆数を乗算する。この演算で用いる（式１）を次に示す。【０１２５】
バッファリングデータ量の逆数×測定された受信ＳＩＮＲ値・・・・・（式１）
（式１）の演算により、各サブチャネルの受信ＳＩＮＲには、各サブチャネルのバッファリングデータ量に反比例する重みが乗算されることとなり、バッファリングデータ量が少ないサブチャネルには高い値が、バッファリングデータ量が多いサブチャネルには低い値がそれぞれ乗算される。【０１２６】
サブチャネル要求生成部２１５は、各サブチャネルにおける（式１）の演算結果が高い上位Ｎ個のサブチャネルを選択し（Ｓ６７）、選択されたＮサブチャネルのうちいずれか（１つまたは複数）のサブチャネルの割り当てを希望する（要求する）割り当て要求サブチャネル情報を生成し、生成した割り当て要求サブチャネル情報を、送信部２１７を介して通信制御装置１００に通知する（ステップＳ６８）。割り当て要求サブチャネル情報は、該当サブチャネルのサブチャネルＩＤと、前記サブチャネルＩＤに対応する受信品質情報（受信ＳＩＮＲ）との組み合わせである。【０１２７】
通信制御装置１００の受信部１１３は、ステップＳ６８において送信された割り当て要求情報と割り当てを要求する各サブチャネルの受信ＳＩＮＲを受信する（ステップＳ５２）。これにより、通信制御装置１００は、各通信端末装置２００がそれぞれ割り当てを希望するサブチャネルを全て把握することができる。【０１２８】
このような手順の後、各通信端末装置２００から通知された情報を基に効率の良いスロット割り当てが通信制御装置において行なわれることとなる。【０１２９】
このように、本実施形態では、各サブチャネルのバッファに送信待ち状態で保持されているデータ（バッファリングデータ）量の逆数を、各通信端末装置２００で測定された各サブチャネルの受信ＳＩＮＲ値に乗算した結果を基に、割り当て要求を行なうサブチャネルを通信端末装置２００毎に決める。これにより、受信ＳＩＮＲ値とバッファリングデータ量との情報に基づいて、送信を希望するサブチャネルを選択することができる。また、サブチャネルを選択する基準を算出する演算式は、本実施形態で説明した（式１）に限られることはない。例えば、バッファリングデータ量の対数を算出し、算出した対数の逆数と各サブチャネルの受信ＳＩＮＲと乗算してもよいし、バッファリングデータ量の対数を算出し受信ＳＩＮＲから減算を行なってもよいと考えられる。【０１３０】
（第３の実施形態）
第３の実施形態では、ＯＦＤＭＡにおいて一定数のサブキャリアと一定数の時間で区切ったスロットを使用し、スロットの過去の使用状況を混雑情況とする。まず、複数のスロットから構成されるフレームについて説明する。【０１３１】
図９は、本実施形態で用いるフレーム構成の一例を示す図である。図９では、複数のスロット（ｓｌｏｔ）６０１から構成されるフレーム（ｆｒａｍｅ）６０２を示している。スロット６０１は、一定の時間長で定められる一つ以上の時間チャネルと、一定の周波数帯域で定められる一つ以上の周波数チャネルとによって特定され、最小管理単位となる。フレーム６０２は、一つの管理単位時間の範囲を示す。図９中、横軸は、時間（ｔｉｍｅ）を示し、縦軸は、周波数（ｆｒｅｑｕｅｎｃｙ）を示し、一つのサブチャネルの周波数方向の単位を符号６０３で示している。フレーム６０２の先頭にはＳＩＮＲ測定用信号や後続のデータスロットの割り当て情報、サブチャネルの混雑状況、その他制御情報を含む報知スロット（ｂｒｏａｄｃａｓｔ  ｓｌｏｔ）６０４が配置され、報知スロット６０４に続いて通信データを格納するデータスロット（ｄａｔａ  ｓｌｏｔ）６０５が配置されるものとする。【０１３２】
本実施形態では通信制御装置１００から通信端末装置２００へのダウンリンク通信に本発明を適用する例を示す。通信端末装置２００から通信制御装置１００へのアップリンク通信は本実施形態では特に規定せず、どのような通信方式を使用しても良いものとする。【０１３３】
本実施形態では、混雑状況としてサブチャネルの使用頻度を使用し、その計算方法として過去のスロットの使用率を使用する。各サブチャネルの伝搬路の状況はフェージングによりめまぐるしく変化するが、長い時間で見た場合平均的に良いサブチャネルがあることが多く、単純に受信品質（ＳＩＮＲ）が良いサブチャネルを優先して通信に使用するように制御すると特定のサブチャネルの使用率が増え、輻輳する問題が発生する。このため、各サブチャネルの過去のスロット使用率を通信端末装置２００に通知することによって、混雑が予測されるサブチャネルに対し通信端末装置２００の要求が集中することを防ぐ。【０１３４】
また、通信端末装置２００は、各サブチャネルの受信品質と使用率を調べ、各サブチャネルの受信品質に対応した使用率を下回っているサブチャネルのみ使用するように要求する。【０１３５】
以下、制御手順を詳細に説明する。図１０から図１２に通信制御装置１００の制御フローの一例を示す。図１０は、第３の実施形態の通信端末装置２００から受信品質情報を取得する動作（受信品質取得処理）の一例を示すフローチャートである。図１１は、第３の実施形態のデータスロットを割り当てる動作（データスロット割り当て処理）の一例を示すフローチャートである。図１２は、第３の実施形態のスロット使用率を送信する動作（スロット使用率送信処理）の一例を示すフローチャートである。これら３つの処理は、平行して動作するものとする。また、それぞれの処理は、別々のタスクによって、通信制御装置１００内の各構成要素に各処理の実行を指示する。図１０から図１２では、受信品質情報の一例としてＳＩＮＲ情報を用いて説明する。【０１３６】
まず、受信品質取得処理について図１０を用いて説明する。受信品質取得処理は、スケジューリング部１０１において処理される。受信品質取得処理は、通信制御装置１００が通信端末装置２００から受信品質情報を取得する処理である。通信制御装置１００において、制御情報生成部１０４は、報知スロットを利用して通信端末装置２００に対し受信品質情報を送信するように要求する制御情報を生成し、送信部１１１は、生成した制御情報を通信端末装置２００へ送信する（ステップＳ７０１）。次に、受信部１１３は、通信端末装置２００から送られてくる受信品質情報を受信し、スケジューリング部１０１は、通信制御装置１００内の受信品質情報を更新する（ステップＳ７０２）。通信端末装置２００から送られてくる受信品質情報に誤りがあった場合、スケジューリング部１０１は、誤りの検出された受信品質情報を破棄し、現在のものをそのまま使用するものとする。規定フレーム数タスクをスリープ（待ち状態）する（ステップＳ７０３）。規定フレーム数は受信品質情報の更新頻度であり、伝搬路の特性に依存した値である。例えば１０ｍＳ（ミリ秒）毎に更新されるような値を使用する。その後ステップＳ７０１に戻りこれらの手順を繰り返す事で通信制御装置１００内の受信品質情報を最新の状態に保つ。【０１３７】
次に、データスロット割り当て処理について図１１を用いて説明する。データスロット割り当て処理は、スケジューリング部１０１において処理される。本実施形態では、スケジューリング部１０１は、送信要求データを通信端末装置２００毎に保持するバッファを備える。【０１３８】
通信制御装置１００において、スケジューリング部１０１は、フレーム開始時刻を待つ（ステップＳ７１１）。開始時刻になったらステップＳ７１２に進む。スケジューリング部１０１は、フレームの開始時刻における受信品質情報（ＳＩＮＲ情報）を参照する（ステップＳ７１２）。次に、スケジューリング部１０１は、各通信端末装置２００宛ての送信要求データがあるかバッファを参照して調べる（ステップＳ７１３）。全ての通信端末装置２００について送信要求データがない場合はステップＳ７１１に戻り次のフレーム開始を待つ（ステップＳ７１３でＮＯ）。いずれかの通信端末装置２００宛ての送信要求データがある場合（ステップＳ７１３でＹＥＳ）、割り当て可能なスロットが残っているか調べる（ステップＳ７１４）。割り当て可能なスロットがある場合（ステップＳ７１４でＹＥＳ）はステップＳ７１５に進む。割り当て可能なスロットが全く無い場合（ステップＳ７１４でＮＯ）、ステップＳ７１１に戻り次のフレーム開始を待つ。【０１３９】
スケジューリング部１０１は、現在の受信品質情報（ＳＩＮＲ情報）の中で最も受信状態の良い、すなわちＳＩＮＲの大きいサブチャネルと通信端末装置２００の組み合わせに注目する（ステップＳ７１５）。注目する通信端末装置２００に対する送信要求データがあるかどうかを調べる（ステップＳ７１６）。送信要求データがある場合（ステップＳ７１６でＹＥＳ）はステップＳ７１７へ、無い場合（ステップＳ７１６でＮＯ）はステップＳ７１９に進む。【０１４０】
注目しているサブチャネルに割り当て可能なスロットがある場合（ステップＳ７１７でＹＥＳ）、スケジューリング部１０１は、注目しているサブチャネルの割り当て可能なスロット数で送信できるだけ送信要求データをスロットに割り当てる（ステップＳ７１８）。この時、スケジューリング部１０１は、注目する通信端末装置２００とサブチャネルにおけるＳＩＮＲに応じたビットレートを選択し、選択したビットレートで送信するものとしてスロットに対する割り当てを行なう。注目する通信端末装置２００宛ての送信要求データが使用するスロット数が割り当て可能なスロット数よりも少ない場合は、使用するスロットだけ割り当てるものとする。注目する通信端末装置２００宛ての送信要求データが使用するスロット数が割り当て可能なスロット数よりも多い場合は、可能なだけスロットを割り当てるものとする。スケジューリング部１０１は、割り当てたスロットに対応する送信要求データはバッファから削除し（ステップＳ７１８）、ステップＳ７１９に進む。注目しているサブチャネルに割り当て可能なスロットが無い場合（ステップＳ７１７でＮＯ）は、送信要求データを割り当てずにステップＳ７１９へ進む。【０１４１】
ステップＳ７１９では、現在注目している通信端末装置２００のＳＩＮＲ情報（ＳＩＮＲとサブチャネルと通信端末装置２００の組み合わせの情報）が次のフレーム開始まで参照されないように（調査済みであるため再度調査しないように）し、ステップＳ７２０に進む。ステップＳ７２０では全てのＳＩＮＲ情報が参照されない状態（調査済状態）になっているかどうかを調べ、参照できるＳＩＮＲ情報が残っている場合（ステップＳ７２０でＮＯ）はステップＳ７１３へ、全てのＳＩＮＲ情報が参照されない状態になっている場合（ステップＳ７２０でＹＥＳ）はステップＳ７１１に戻りフレーム開始を待つ。これらの手順を繰り返す事で、最新のＳＩＮＲ情報に従って最も良いＳＩＮＲの通信端末装置２００を優先してスロットの割り当てを行ない、ダウンリンクの通信をする事ができる。【０１４２】
最後にスロット使用率取得処理について図１２を用いて説明する。スロット使用率取得処理は、混雑情報生成部１０３において処理される。まず、混雑情報生成部１０３は、過去のスロット割り当て情報をクリアし（ステップＳ７４１）、フレーム開始を待つ（ステップＳ７４２）。フレーム開始時刻を検出すると、混雑情報生成部１０３は、規定時間分の過去のスロット割り当てデータを参照する（ステップＳ７４３）。規定時間はスロットの使用率の平均を計算するのに十分な時間で、伝搬路の変動状況に依存する値であり、例えば１００ｍＳなどが使用される。次に、混雑情報生成部１０３は、前回のスロット割り当て情報を取得し、過去のスロット割り当て情報に追加する（ステップＳ７４４）。次に、規定時間分の過去のスロット割り当て情報と、前回のスロット割り当て情報に基づいた各サブチャネルのスロット使用率を計算する（ステップＳ７４５）。混雑情報生成部１０３は、次のフレーム開始時に報知スロットを利用して各サブチャネルの使用率を送信するように、生成した各サブチャネルの使用率を制御情報生成部１０４へ通知し（ステップＳ７４６）、その後、次のフレーム開始を待つ（ステップＳ７４２）。以上の手順を繰り返す事で規定時間分のスロット使用率情報を最新の状態に保ち、毎フレーム端末に対して送信する事が可能となる。【０１４３】
図１０から図１２を用いて説明した通信制御装置１００で実施する各処理は、ソフトウェアで大部分を実現することができる。図１３は、第３の実施形態の通信制御装置１００において各処理を実現するソフトウェアが動作する環境の一例を示す図である。各処理は、ＣＰＵ（Ｃｅｎｔｒａｌ  Ｐｒｏｃｅｓｓｉｎｇ  Ｕｎｉｔ：中央処理装置）８０１の制御のもとで、メインメモリ８０２へプログラム用メモリ８０３からプログラムがロードされ、プログラムが実行されることによって実現する。各プログラムは、タイマー８０４によって周期的な起動、あるいは、待ち状態の時間の計測等が実施される。また、外部とのデータの入出力は、ＣＰＵ８０１の制御のもとで、ＤＭＡ（Ｄｉｒｅｃｔ  Ｍｅｍｏｒｙ  Ａｃｃｅｓｓ）８０５ａ〜８０５ｇを介して行なう。各処理を実現するプログラムは、ＣＰＵ８０１の制御の下で、バッファリング、サブチャネルの割り当てを管理することができる。また、各プログラムは、ＣＰＵ８０１が動作させる（スケジューリングする）マルチタスクとし、各処理が並行して処理を進めることができる。【０１４４】
図１４は、第３の実施形態の各処理を実施するソフトウェアを各構成要素へ追加した構成の一例を示す図である。図１４は、図１に示したスケジューリング部１０１、混雑情報生成部１０３、並びに、制御情報生成部１０４の部分を示している。スロット割当部９０２は、バッファ９０１ａ〜９０１ｃを用いてスロット割り当て処理を実施する。図１４では、一例として３つの通信端末装置２００のバッファを示しているが、これに限られることなく通信端末装置２００の数に対応してバッファが用意される。受信品質取得部９０３は、受信品質取得処理を実施する。スロット使用率取得部９０４は、スロット使用率取得処理を実施する。【０１４５】
なお、図１３、図１４は、構成の一例を示したものであり、その他の構成であっても各処理が実現できる構成であればよく、ソフトウェア、ソフトウェアとハードウェアの組合せ等で実現してもよい。【０１４６】
次に、通信端末装置２００側の受信品質情報を送信する動作を説明する。図１５は、本実施形態の通信端末装置２００の受信品質情報を送信する動作の一例を示すフローチャートである。また、図１６は、本実施形態で通信端末装置２００が用いる受信品質比較テーブルの一例を示す図である。通信端末装置２００は通信制御装置１００から受信品質情報の送信要求があると、アップリンクを通じて受信品質情報を送信するものとする。受信品質情報（ＳＩＮＲ情報ともいう）は、通信端末装置２００がダウンリンク通信時に通信制御装置１００に割り当てを要求する割り当て要求サブチャネル（サブチャネルのＩＤ）とそのサブチャネルのＳＩＮＲの組み合わせを規定数含めたものとする。規定数が多いほど通信制御装置１００でのスロット割り当てをきめ細かく行なう事が可能となるが、制御に必要な情報量が増えてしまう問題が発生する。この問題を考慮する必要があり、例えば３などの値が使用される。【０１４７】
図１５用いて動作を説明する。まず、通信端末装置２００のサブチャネル要求生成部２１５は、割り当て要求バッファをクリアする（ステップＳ８０１）。割り当て要求バッファは通信制御装置１００に通知する割り当て要求サブチャネル情報（割り当てを要求するサブチャネルのＩＤとそのサブチャネルのＳＩＮＲの組み合わせ）を格納するもので、規定数の組み合わせまでを登録できるものとする。バッファをクリアした後、フレームの開始時刻を待つ（ステップＳ８０２）。サブチャネル要求生成部２１５は、フレーム開始時刻を検出すると、報知スロットを受信し、報知スロット中の信号を利用して各サブチャネルのＳＩＮＲを測定し、報知スロット内に含まれているサブチャネル毎のスロット使用率、受信品質要求情報を取得する（ステップＳ８０３）。ＳＩＮＲ情報の要求がされているか判断し（ステップＳ８０４）、要求されている場合（ステップＳ８０４でＹＥＳ）はステップＳ８０５へ進み、要求されていない場合（ステップＳ８０４でＮＯ）はステップＳ８０１に戻り次のフレームの先頭を待つ。【０１４８】
サブチャネル要求生成部２１５は、測定したＳＩＮＲの最も良いサブチャネルに注目する（ステップＳ８０５）。次に、注目しているサブチャネルのＳＩＮＲと図１６に一例を示したＳＩＮＲ比較テーブルを参照する（ステップＳ８０６）。ＳＩＮＲ比較テーブルは、あるサブチャネルが所定のＳＩＮＲの場合、サブチャネルがどの程度のスロット使用率を下回っていれば割り当て要求を出すかを表したものである。本実施形態では通信品質がとてもよい場合、すなわちＳＩＮＲが３０ｄＢ以上の場合はどれだけスロットの使用率が高くても割り当て要求を出すものとしている。これは、そのサブチャネルが他の通信端末装置２００に対しても通信品質がとてもよいと仮定すると、そのサブチャネルの使用率が高くても送信要求データは次々と送信する事が可能であるため、さほど待たなくてもデータが送信される事が期待されるためである。また、通信品質が悪い場合、すなわちＳＩＮＲが５ｄＢ未満の場合にスロットの使用率がわずかであることを要求するのは、そのサブチャネルを使用する際には悪環境でも通信できるように低速のビットレートでデータが送信される事が予想され、使用するスロット数がビットレートに反比例して多くなる事が予想されるためであり、低ビットレートの通信が割り当てられたために他の通信端末装置２００に対してスロットが割り当てられなくなる状況を回避するためである。【０１４９】
ＳＩＮＲが５ｄＢ以上３０ｄＢ未満の場合についても同様の考え方でスロット割り当てを要求するためのスロット使用率の閾値が設定されているものとする。図１６では、５ｄＢ以上１０ｄＢ未満のように、５ｄＢ単位で使用率の閾値を設定している。サブチャネル要求生成部２１５は、ＳＩＮＲ比較テーブルと注目しているサブチャネルのＳＩＮＲを参照して使用率が閾値以下であるかを判断し（ステップＳ８０７）、スロット使用率が閾値以下であった場合（ステップＳ８０７でＹＥＳ）はステップＳ８０８へ、スロット使用率が閾値を超えていた場合はステップＳ８１２に進む。ステップＳ８０８では注目しているサブチャネルを割り当て要求バッファに登録し（ステップＳ８０８）、割り当て要求バッファが一杯になっているか調べ（ステップＳ８１０）、一杯であればステップＳ８１１に、まだ空きがあればステップＳ８１２に進む。サブチャネル要求生成部２１５は、割り当て要求バッファに格納した割り当て要求サブチャネル情報を制御部２１６へ通知し、送信部２１７がアップリンクを通じて通信制御装置１００に送信し（ステップＳ８１１）、その後ステップＳ８０１に戻る。【０１５０】
割り当て要求バッファに空きがある場合（ステップＳ８１０でＮＯ）、サブチャネル要求生成部２１５は、フレーム開始から現時点までに全てのサブチャネルについてＳＩＮＲ比較テーブルとの比較を行なったか調べ（ステップＳ８１２）、まだ調べていないサブチャネルがあった場合（ステップＳ８１２でＹＥＳ）、現在注目しているサブチャネルの次にＳＩＮＲの良い値、すなわちＳＩＮＲの低いサブチャネルに注目し（ステップＳ８１３）、ステップＳ８０６からの処理を繰り返す。全て調べていた場合（ステップＳ８１２でＮＯ）、現時点での割り当て要求バッファの内容を調べ（ステップＳ８１４）、バッファに何も登録されていなかった場合（ステップＳ８１４でＹＥＳ）、ステップＳ８０１へ戻り、１つでも情報が登録されていた場合（ステップＳ８１４でＮＯ）、ステップＳ８１１の処理を実施する。【０１５１】
以上の手順を繰り返す事で、通信端末装置２００は通信制御装置１００からＳＩＮＲ情報の要求がある度にその時点でのＳＩＮＲとスロット使用率を考慮したＳＩＮＲ情報を通信制御装置に送信する事が可能となる。【０１５２】
このように、通信制御装置１００と通信端末装置２００群が上記に示した手順で動作することで、特定のサブチャネルに通信要求が集中し、輻輳する状況を回避できる。また、特に通信品質の良いサブチャネルが確保できる状況では、そのサブチャネルを優先して使用することで通信容量を増やす事ができる。【０１５３】
なお、上記各実施形態では、各サブチャネルの混雑状況を通信制御装置１００がセル内に報知する場合に、通信端末装置２００が各サブチャネルの受信品質と混雑状況に基づき、割り当て要求を行なうサブチャネルを選択する手法について説明した。しかしながら、混雑状況を表す情報は毎フレーム送信されるとは限らず、また、伝搬路の状況によっては混雑状況を表す情報の受信が困難な通信端末装置２００が存在することも考えられる。このような場合には、通信端末装置２００側で各サブチャネルの混雑状況が分からないため、割り当て要求を行なうサブチャネルの適切な選択が行なえないことも生じる。これに対しては次のような対処をすることができる。【０１５４】
例えば、通信端末装置２００は各サブチャネルの混雑状況を自律的に判断する手法を適用することができる。図９に示すようなフレーム構成の場合、報知スロット６０４にはフレーム６０２内の全スロットの割り当て情報が含まれているため、この割り当て情報を基にサブチャネル毎の割り当て状況を通信端末装置２００にて（たとえば、サブチャネル要求生成部２１５にて）把握することができる。サブチャネル毎の割り当て状況を数フレームにわたり観測することによりサブチャネル毎の混雑状況を把握すること可能である。【０１５５】
また、上記とは別に、通信端末装置２００は、各サブチャネルの受信信号電力を算出することによっても、混雑状況の把握を行なうことができる。これは、使用している（通信端末装置２００が割り当てられている）サブチャネルではある程度の電力が算出されるが、使用していない（通信端末装置２００が割り当てられていない）サブチャネルでは雑音レベル程度の低い電力しか算出されないため、使用中のサブチャネルと使用中でないサブチャネルとを区別できることに基づく。従って、各サブチャネルの受信信号電力を数フレームにわたって観測することにより、頻繁に使用されるサブチャネルを検出することができ、サブチャネル毎の混雑状況を端末にて把握することができる。【０１５６】
このような手法を用いることにより、通信制御装置１００が混雑状況を送信しない期間等、通信端末装置２００が混雑状況を受信（把握）できない状況においても、各サブチャネルの混雑状況を通信端末装置２００が自律的に判断し、割り当て要求を行なうサブチャネルの選択をすることができる。これにより、通信端末装置２００は、割り当てを要求するサブチャネルを選択し、選択したサブチャネルの受信品質情報を送ることにより、通信制御装置１００へ通知する情報量を削減することができる。また、通信制御装置１００は、通信端末装置２００が要求するサブチャネルを把握することが可能になる。さらに、通信制御装置１００が取り扱う受信品質の情報量を抑制することができる。これにより、効率のよいスケジューリングが可能となる。
【図１】
2008069310.tif 000003
【図２】
2008069310.tif 000004
【図３】
2008069310.tif 000005
【図４】
2008069310.tif 000006
【図５】
2008069310.tif 000007
【図６】
2008069310.tif 000008
【図７】
2008069310.tif 000009
【図８】
2008069310.tif 000010
【図９】
2008069310.tif 000011
【図１０】
2008069310.tif 000012
【図１１】
2008069310.tif 000013
【図１２】
2008069310.tif 000014
【図１３】
2008069310.tif 000015
【図１４】
2008069310.tif 000016
【図１５】
2008069310.tif 000017
【図１６】
2008069310.tif 000018
【図１７】
2008069310.tif 000019
【図１８】
2008069310.tif 000020
【手続補正書】
【提出日】平成20年4月24日(2008.4.24)
【手続補正１】
【補正対象書類名】特許請求の範囲
【補正対象項目名】全文
【補正方法】変更
【補正の内容】
【特許請求の範囲】
【請求項１】
通信制御装置から通信端末装置への送信が、所定の周波数帯域で定められる二以上のサブチャネルから構成される周波数チャネルを用いて行なわれる無線通信システムに適用される通信制御装置であって、
前記通信端末装置へ送信する情報データを各サブチャネルへ割り当てるスケジューリング部と、
各サブチャネルの混雑度を示す混雑情報を生成する混雑情報生成部と、
生成した混雑情報を含む制御情報を生成する制御情報生成部と、
生成した制御情報を前記通信端末装置へ送信する送信部と、
前記通信端末装置が前記混雑情報に基づいて選択したサブチャネルを特定する割り当て要求サブチャネル情報を受信する受信部と、を備え、
前記スケジューリング部は、受信した割り当て要求サブチャネル情報に基づいて、情報データを各サブチャネルへ割り当てることを特徴とする通信制御装置。
【請求項２】
前記受信部は、選択したサブチャネルの受信品質情報を更に含む割り当て要求サブチャネル情報を受信することを特徴とする請求項１記載の通信制御装置。
【請求項３】
前記混雑情報生成部は、前記通信端末装置が割り当てを要求するサブチャネル数を指定するサブチャネル数情報を決定し、
前記送信部は、さらに、決定したサブチャネル数情報を含む制御情報を送信し、
前記スケジューリング部は、前記サブチャネル数情報に指定された数のサブチャネルを特定する要求サブチャネル情報に基づいて、情報データを各サブチャネルに割り当てることを特徴とする請求項１記載の通信制御装置。
【請求項４】
前記混雑情報生成部は、多段階にクラス分けした混雑情報を生成することを特徴とする請求項１記載の通信制御装置。
【請求項５】
前記スケジューリング部は、各サブチャネルに割り当てた情報データのうち、送信待ち状態の情報データを保持するサブチャネル毎のバッファを備え、
前記混雑情報生成部は、前記バッファに保持されている各サブチャネルの送信待ち状態の情報データ量に基づいて混雑情報を生成することを特徴とする請求項１から請求項４のいずれかに記載の通信制御装置。
【請求項６】
前記混雑情報生成部は、各サブチャネルの使用頻度を示す混雑情報を生成することを特徴とする請求項１から請求項５のいずれかに記載の通信制御装置。
【請求項７】
前記通信端末装置との通信は、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式を用いて行なうことを特徴とする請求項１から請求項６のいずれかに記載の通信制御装置。
【請求項８】
（削除）
【請求項９】
通信制御装置から通信端末装置への送信が、所定の周波数帯域で定められる二以上のサブチャネルから構成される周波数チャネルを用いて行なわれる無線通信システムに適用される通信端末装置であって、
各サブチャネルの混雑度を示す混雑情報を含む制御情報を受信する受信部と、
各サブチャネルの受信品質を測定して受信品質情報を生成する受信品質測定部と、
受信した制御情報に含まれる混雑情報に基づいて、割り当てを要求するサブチャネルを割り当て要求サブチャネルとして選択し、選択した割り当て要求サブチャネルを特定する割り当て要求サブチャネル情報を生成するサブチャネル要求生成部と、
生成した割り当て要求サブチャネル情報を前記通信制御装置へ送信する送信部と、を備えることを特徴とする通信端末装置。
【請求項１０】
前記サブチャネル要求生成部は、選択したサブチャネルに関する受信品質情報を更に含む割り当て要求サブチャネル情報を生成することを特徴とする請求項９記載の通信端末装置。
【請求項１１】
前記受信部は、さらに、前記割り当て要求サブチャネルの数を指定するサブチャネル数情報を含む制御情報を受信し、
前記サブチャネル要求生成部は、制御情報に含まれるサブチャネル数情報に指定された数のサブチャネルを選択して割り当て要求サブチャネル情報を生成することを特徴とする請求項９または請求項１０記載の通信端末装置。
【請求項１２】
前記サブチャネル要求生成部は、前記混雑情報が所定の混雑度より小さいサブチャネルを選択することを特徴とする請求項９から請求項１１のいずれかに記載の通信端末装置。
【請求項１３】
前記サブチャネル要求生成部は、前記受信品質情報が所定の閾値より大きいサブチャネルを選択することを特徴とする請求項９から請求項１１のいずれかに記載の通信端末装置。
【請求項１４】
前記サブチャネル要求生成部は、前記混雑情報が所定の混雑度より小さいサブチャネルを選択し、選択したサブチャネルから前記受信品質情報が良好な順番にサブチャネルを選択することを特徴とする請求項９から請求項１１のいずれかに記載の通信端末装置。
【請求項１５】
前記サブチャネル要求生成部は、前記受信品質情報が所定の値より良好なサブチャネルを選択し、選択したサブチャネルから前記混雑情報が小さい順番にサブチャネルを選択することを特徴とする請求項９から請求項１１のいずれかに記載の通信端末装置。
【請求項１６】
前記サブチャネル要求生成部は、第一の閾値と前記第一の閾値より大きい第二の閾値とを設定し、前記第一閾値より前記混雑度が小さいサブチャネルを選択し、選択したサブチャネルが所定の受信品質を満たさない場合に、前記第一閾値より大きく前記第二閾値より小さい混雑度を示すサブチャネルが存在する場合、前記第二閾値より小さい混雑度を示すサブチャネルであって前記受信品質情報が所定品質であるサブチャネルを優先して割り当て要求サブチャネルとして選択することを特徴とする請求項９から請求項１１のいずれかに記載の通信端末装置。
【請求項１７】
前記サブチャネル要求生成部は、前記混雑情報が所定の混雑度より小さいサブチャネルを選択し、選択したサブチャネルに加え、前記混雑情報が所定の混雑度以上のサブチャネルから、前記受信品質情報が良好な順番にサブチャネルを選択することを特徴とする請求項９から請求項１１のいずれかに記載の通信端末装置。
【請求項１８】
前記サブチャネル要求生成部は、前記混雑情報に基づく値と、前記受信品質情報に基づく値とを所定の演算式を用いて算出した値が示す順番にサブチャネルを選択することを特徴とする請求項９から請求項１１のいずれかに記載の通信端末装置。
【請求項１９】
前記受信部は、各サブチャネルの送信待ち状態の情報データ量を示す値を混雑情報として受信し、
前記サブチャネル要求生成部は、前記混雑情報に基づく値として各サブチャネルの送信待ち状態の情報データ量を示す値の逆数を用い、前記受信品質情報に基づく値として各サブチャネルの受信品質測定結果を用い、前記混雑情報に基づく値と前記受信品質情報に基づく値とを乗算した値の大きい順番にサブチャネルを選択することを特徴とする請求項１８記載の通信端末装置。
【請求項２０】
前記受信部は、多段階の混雑度の値を含む混雑情報を受信し、
前記サブチャネル要求生成部は、前記多段階の混雑度を示す値に基づいて割り当てを要求するサブチャネルを選択することを特徴とする請求項９から請求項１９のいずれかに記載の通信端末装置。
【請求項２１】
前記受信部は、各サブチャネルの使用頻度を示す使用率を混雑情報として受信し、
前記サブチャネル要求生成部は、前記使用率と前記受信品質情報とに基づいて割り当て要求チャネルを選択することを特徴とする請求項９から請求項１８のいずれかに記載の通信端末装置。
【請求項２２】
前記受信部は、各サブチャネルへ情報データを割り当てた状況を示す割り当て情報を含む制御情報を受信し、
前記サブチャネル要求生成部は、前記割り当て情報に基づいて各サブチャネルの使用頻度を示す使用率を算出し、算出した使用率と前記受信品質情報とに基づいて割り当て要求チャネルを選択することを特徴とする請求項９から請求項１８のいずれかに記載の通信端末装置。
【請求項２３】
前記サブチャネル要求生成部は、各サブチャネルの受信信号電力を算出し、算出した受信信号電力の値に基づいて各サブチャネルの使用頻度を検出することを特徴とする請求項９から請求項１８のいずれかに記載の通信端末装置。
【請求項２４】
受信品質測定部は、各サブチャネルの受信品質を示す情報として、受信ＳＩＮＲ（Ｓｉｇｎａｌ  ｔｏ  Ｉｎｔｅｒｆｅｒｅｎｃｅ  ａｎｄ  Ｎｏｉｓｅ  Ｒａｔｉｏ）、受信ＳＮＲ（Ｓｉｇｎａｌ  ｔｏ  Ｎｏｉｓｅ  Ｒａｔｉｏ）のいずれかを測定することを特徴とする請求項９から請求項２３のいずれかに記載の通信端末装置。
【請求項２５】
通信制御装置から通信端末装置への送信が、所定の周波数帯域で定められる二以上のサブチャネルから構成される周波数チャネルを用いて行なわれる無線通信システムであって、
前記通信制御装置は、
前記通信端末装置へ送信する情報データを各サブチャネルへ割り当てるスケジューリング部と、
各サブチャネルの混雑度を示す混雑情報を生成する混雑情報生成部と、
生成した混雑情報を含む制御情報を生成する制御情報生成部と、
生成した制御情報を前記端末装置へ送信する制御側送信部と、
前記通信端末装置が前記混雑情報に基づいて選択したサブチャネルを特定する割り当て要求サブチャネル情報を受信する制御側受信部と、を備え、
前記通信端末装置は、
前記混雑情報を含む制御情報を受信する端末側受信部と、
受信した制御情報に基づいて、各サブチャネルの受信品質を測定して受信品質情報を生成する受信品質測定部と、
受信した制御情報に含まれる混雑情報と、生成した受信品質情報とに基づいて、割り当てを要求するサブチャネルを割り当て要求サブチャネルとして選択し、選択した割り当て要求サブチャネルを特定するサブチャネルを含む割り当て要求サブチャネル情報を生成するサブチャネル要求生成部と、
生成した割り当て要求サブチャネル情報を前記通信制御装置へ送信する端末側送信部と、を備え、
前記スケジューリング部は、前記割り当て要求サブチャネル情報に基づいて情報データの各サブチャネルへの割り当てを決定することを特徴とする無線通信システム。
【請求項２６】
前記スケジューリング部は、各サブチャネルに割り当てた情報データのうち、送信待ち状態の情報データを保持するサブチャネル毎のバッファを備え、
前記混雑情報生成部は、前記バッファに保持されている各サブチャネルの送信待ち状態の情報データ量に基づいて混雑情報を生成することを特徴とする請求項２５記載の無線通信システム。
【請求項２７】
前記混雑情報生成部は、
各サブチャネルの使用頻度を示す混雑情報を生成することを特徴とする請求項２５記載の無線通信システム。
【請求項２８】
通信制御装置から通信端末装置への送信が、所定の周波数帯域で定められる二以上のサブチャネルから構成される周波数チャネルを用いて行なわれる無線通信システムに適用される通信制御装置の通信方法であって、
各サブチャネルの混雑度を示す混雑情報を生成し、
生成した混雑情報を含む制御情報を生成し、
生成した制御情報を前記端末装置へ送信することを特徴とする通信方法。
【請求項２９】
通信制御装置から通信端末装置への送信が、所定の周波数帯域で定められる二以上のサブチャネルから構成される周波数チャネルを用いて行なわれる無線通信システムに適用される通信端末装置の通信方法であって、
各サブチャネルの混雑度を示す混雑情報を含む制御情報を受信し、
各サブチャネルの受信品質を測定して受信品質情報を生成し、
受信した制御情報に含まれる混雑情報と、生成した受信品質情報とに基づいて、割り当てを要求するサブチャネルを割り当て要求サブチャネルとして選択し、選択した割り当て要求サブチャネルを特定するサブチャネルを含む割り当て要求サブチャネル情報を生成し、
生成した割り当て要求サブチャネル情報を前記通信制御装置へ送信することを特徴とする通信方法。
【国際調査報告】
2008069310.tif 000021
2008069310.tif 000022
2008069310.tif 000023
2008069310.tif 000024
2008069310.tif 000025
2008069310.tif 000026